(57)【要約】  液晶表示装置の液晶パネルモジュールは、金属フレーム内の前面側に液晶表示パネルを含み、背面側にＥＥＦＬバックライトを含む。液晶パネルモジュールの背面の金属フレーム上の中央部に金属シャーシが配置される。金属シャーシ上には、電源回路基板および映像信号処理基板が取り付けられる。背面の金属フレームの一方の側辺の近くにインバータ基板が配置される。電源回路基板はノイズフィルタ、アクティブフィルタおよび絶縁トランスを含む。インバータ基板は昇圧トランスを含む。
2008090722.tif 000002
【特許請求の範囲】
【請求項１】
液晶表示パネルおよびバックライトを含む液晶パネルモジュールと、
外部電源から電源ラインを介して外部電圧を受ける第１の回路基板と、
前記液晶表示パネルに接続される第２の回路基板と、
前記バックライトに接続される第１および第２の出力端子を有する第３の回路基板と、
前記外部電圧を整流する整流回路と、
前記整流回路により整流された電圧をスイッチング動作により平滑化する平滑回路と、
前記平滑回路により平滑化された電圧を第１の内部電圧に変換する第１のトランスと、
前記第１の内部電圧をその第１の内部電圧よりも低い第２の内部電圧に変換する電圧変換器と、
前記第１のトランスにより得られる第１の内部電圧または前記平滑回路により平滑化された電圧をスイッチングするスイッチング回路と、
前記スイッチング回路の出力電圧を第１および第２の駆動電圧に変換して前記第１および第２の出力端子から出力する第２のトランスと、
前記第２の回路基板に設けられ、前記第２の内部電圧により動作して前記液晶表示パネルに映像を表示させるパネル駆動回路とを備え、
前記第１および第２の出力端子は第１および第２の導線を介して前記バックライトにそれぞれ接続され、
前記整流回路および前記電圧変換器は前記第１の回路基板に設けられ、前記スイッチング回路および前記第２のトランスは前記第３の回路基板に設けられ、前記平滑回路および前記第１のトランスは前記第１の回路基板および前記第３の回路基板の一方に設けられる、液晶表示装置。
【請求項２】
前記液晶パネルモジュールは少なくとも背面側に導電性フレームを有し、
前記導電性フレームの背面側に導電性シャーシが配置され、
前記第１の回路基板および前記第２の回路基板は前記導電性シャーシ上に配置され、
前記第３の回路基板は前記導電性フレームの背面側で前記導電性シャーシと異なる位置に配置され、
前記導電性シャーシは前記導電性フレームに接続され、前記第１の回路基板の接地端子および前記第２の回路基板の接地端子は前記導電性シャーシに接続され、前記第３の回路基板の接地端子は前記導電性フレームに接続される、請求項１記載の液晶表示装置。
【請求項３】
前記電源ラインのノイズを除去するノイズ除去回路をさらに備え、前記ノイズ除去回路は前記第１の回路基板に設けられる、請求項１記載の液晶表示装置。
【請求項４】
前記ノイズ除去回路は、前記電源ラインと前記第１の回路基板の接地端子との間に接続される容量を有するノイズフィルタを含む、請求項３記載の液晶表示装置。
【請求項５】
前記平滑回路はアクティブフィルタを含む、請求項１記載の液晶表示装置。
【請求項６】
前記平滑回路および前記第１のトランスは前記第１の回路基板に設けられ、
前記スイッチング回路は、前記第１のトランスにより得られる第１の内部電圧をスイッチングする、請求項１記載の液晶表示装置。
【請求項７】
前記平滑回路および前記第１のトランスは前記第３の回路基板に設けられ、
前記スイッチング回路は、前記第１のトランスにより得られる第１の内部電圧をスイッチングする、請求項１記載の液晶表示装置。
【請求項８】
前記第１のトランスは前記第１の回路基板に設けられ、前記平滑回路は前記第３の回路基板に設けられ、
前記スイッチング回路は、前記平滑回路により平滑化された電圧をスイッチングする、請求項１記載の液晶表示装置。
【請求項９】
前記第１および前記第２の導線は前記導電性フレームの表面に沿って配置され、前記第２の導線の長さは前記第１の導線の長さよりも長く、前記第１の導線と前記導電性フレームとの間に形成される容量値が前記第２の導線と前記導電性フレームとの間に形成される容量値と等しくなるように前記第２の導線と前記導電性フレームとの間の距離が前記第１の導線と前記導電性フレームとの間の距離よりも大きく設定される、請求項１記載の液晶表示装置。
【請求項１０】
前記第１および前記第２の導線は前記導電性フレームの表面に沿って配置され、前記第２の導線の長さは前記第１の導線の長さよりも長く、前記第１の導線と前記導電性フレームとの間に形成される容量値が前記第２の導線と前記導電性フレームとの間に形成される容量値と等しくなるように前記第１の出力端子と前記導電性フレームとの間および前記第２の出力端子と前記導電性フレームとの間にそれぞれ第１および第２の容量成分が接続される、請求項１記載の液晶表示装置。
【請求項１１】
前記バックライトは、第１および第２の外部電極を有する複数の蛍光ランプを含み、前記複数の蛍光ランプの前記第１の外部電極は前記第１の導線を介して前記第１の出力端子に接続され、前記複数の蛍光ランプの前記第２の外部電極は前記第２の導線を介して前記第２の出力端子に接続される、請求項１記載の液晶表示装置。
【発明の詳細な説明】
【技術分野】
【０００１】
本発明は、液晶表示パネルおよびバックライトを含む液晶表示装置に関する。
【背景技術】
【０００２】
液晶表示装置に用いられる液晶パネルモジュールはバックライトを備える（例えば特許文献１参照）。液晶パネルモジュールのバックライト用の光源としては、一般に、複数の冷陰極蛍光ランプ（以下、ＣＣＦＬと呼ぶ）または複数の外部電極蛍光ランプ（以下、ＥＥＦＬと呼ぶ）が用いられる。以下、複数のＣＣＦＬを用いたバックライトをＣＣＦＬバックライトと呼び、複数のＥＥＦＬを用いたバックライトをＥＥＦＬバックライトと呼ぶ。【０００３】
図１１は一般的なＣＣＦＬバックライトの構成を示す模式図である。【０００４】
図１１に示すように、ＣＣＦＬバックライト５００は、平行に配列された複数のＣＣＦＬ５０を含む。各ＣＣＦＬ５０内の両端部に内部電極が設けられる。複数のＣＣＦＬ５０の一端は、それぞれバラストコンデンサＣＢを介して昇圧トランス４０に接続される。複数のＣＣＦＬ５０の他端は接地される。バラストコンデンサＣＢは安定器の働きを行う。【０００５】
このように、図１１のＣＣＦＬバックライト５００では、各ＣＣＦＬ５０にバラストコンデンサＣＢおよび昇圧トランス４０が必要であるため、部品点数が多く、合計の部品コストが高くなる。【０００６】
図１２は一般的なＥＥＦＬバックライトの構成を示す模式図である。【０００７】
図１２に示すように、ＥＥＦＬバックライト６００は、平行に配置された複数のＥＥＦＬ６０を含む。各ＥＥＦＬ６０の両端部上には外部電極が設けられる。複数のＥＥＦＬ６０の一方の外部電極６３Ａは共通の昇圧トランス７０ａに接続され、複数のＥＥＦＬ６０の他方の外部電極６３Ｂは共通の昇圧トランス７０ｂに接続される。複数の外部電極６３Ａは金属からなるランプ固定板により一体的に保持され、複数の外部電極６３Ｂも金属からなるランプ固定板により一体的に保持される（例えば特許文献２参照）。【０００８】
ＥＥＦＬ６０の外部電極６３Ａ，６３Ｂは、安定器の役割を果たすため、ＥＥＦＬ６０の両端部にそれぞれ共通の昇圧トランス７０ａ，７０ｂを接続することができる。そのため、部品点数が少なくなる。その反面、外部電極を有するＥＥＦＬ６０の点灯電圧は内部電極を有するＣＣＦＬ５０の点灯電圧に比べて高い。そのため、複数のＥＥＦＬ６０の両端部に差動動作する昇圧トランス７０ａ，７０ｂがそれぞれ接続される。しかしながら、ＥＥＦＬバックライト６００を用いた場合には、ＣＣＦＬバックライト５００を用いた場合に比べて合計の部品点数が少なく、合計の部品コストが低減される。
【特許文献１】特開２０００−１６２５９３号公報
【特許文献２】特開２００４−２４７２７７号公報
【発明の開示】
【発明が解決しようとする課題】
【０００９】
図１３は従来の液晶表示装置の背面の回路基板の配置の一例を示す模式図、図１４は従来の液晶表示装置の回路構成の一例を示すブロック図である。【００１０】
図１３に示すように、液晶表示装置１００Ａは、液晶パネルモジュール１００を有する。液晶パネルモジュール１００は、金属フレーム７００内の前面側に液晶表示パネル（図示せず）を含み、背面側に後述するＥＥＦＬバックライト６００（図１４参照）を含む。金属フレーム７００は、液晶パネルモジュール１００の剛性を高めるため、およびＥＥＦＬバックライト６を安定かつ容易に点灯させるために用いられる。液晶パネルモジュール１００の金属フレーム７００の背面上に金属シャーシ２００が設けられる。金属シャーシ２００上には、電源回路基板３００および映像信号処理基板４００が取り付けられる。金属シャーシ２００上の電源回路基板３００および映像信号処理基板４００は、電源配線および信号配線が複雑にならないように液晶パネルモジュール１００の背面の中央部に配置される。金属フレーム７００上の両側辺の近くにインバータ主基板５０１およびインバータ副基板５０２が配置される。【００１１】
なお、図１３においては、後述する図１４に示される回路素子のうち電源回路基板３００に含まれるノイズフィルタ３１０、アクティブフィルタ３３０および絶縁トランス３４０、インバータ主基板５０１に含まれる昇圧トランス５３１ならびにインバータ副基板５０２に含まれる昇圧トランス５３２のみが示され、他の回路素子の図示が省略されている。【００１２】
インバータ主基板５０１の昇圧トランス５３１はランプリード８１０を介して液晶パネルモジュール１００のＥＥＦＬバックライト６００（図１４）に接続され、インバータ副基板５０２の昇圧トランス５３２はランプリード８２０を介して液晶パネルモジュール１００のＥＥＦＬバックライト６００（図１４）に接続される。ランプリード８１０，８２０は同じ長さを有する。【００１３】
図１４に示すように、電源回路基板３００は、ノイズフィルタ３１０、整流回路３２０、アクティブフィルタ３３０、絶縁トランス３４０およびＤＣ−ＤＣ（直流−直流）コンバータ３５０を含む。【００１４】
ノイズフィルタ３１０は、コネクタＣＮ３１０を介して１００Ｖの交流電源に接続される。ノイズフィルタ３１０には、整流回路３２０、アクティブフィルタ３３０および絶縁トランス３４０が順に接続される。絶縁トランス３４０の二次側の接地端子および出力端子は、コネクタＣＮ３２０を介してそれぞれ接地ラインＬ０および電源ラインＬ１に接続される。接地ラインＬ０には接地電位ＧＮＤが与えられ、電源ラインＬ１には電源電圧Ｖ０が与えられる。【００１５】
ＤＣ−ＤＣコンバータ３５０の接地端子および入力端子は、絶縁トランス３４０の接地端子および出力端子にそれぞれ接続される。ＤＣ−ＤＣコンバータ３５０の出力端子は、コネクタＣＮ３２０を介して電源ラインＬ２に接続される。また、絶縁トランス３４０の接地端子およびＤＣ−ＤＣコンバータ３５０の接地端子は、金属シャーシ２００に接続される。電源ラインＬ２には電源電圧Ｖｃが与えられる。【００１６】
映像信号処理基板４００は、映像信号処理回路４１０およびバックライト制御量処理回路４２０を含む。【００１７】
映像信号処理回路４１０の接地端子およびバックライト制御量処理回路４２０の接地端子は、コネクタＣＮ４１０を介して接地ラインＬ０に接続されるとともに、金属シャーシ２００に接続される。映像信号処理回路４１０の電源端子はコネクタＣＮ４１０を介して電源ラインＬ２に接続される。バックライト制御量処理回路４２０の出力端子は、コネクタＣＮ４１０を介して信号ラインＬ３に接続される。信号ラインＬ３には、バックライト制御量ＤＩＭが与えられる。バックライト制御量ＤＩＭは、ランプ電流設定値およびＰＷＭ（パルス幅変調）調光設定値を含む。【００１８】
インバータ主基板５０１は、駆動ＩＣ（集積回路）５１０、スイッチング回路５２１、昇圧トランス５３１および電流調整用の共振コンデンサ５５０を含む。【００１９】
駆動ＩＣ５１０の接地端子、スイッチング回路５２１の接地端子および昇圧トランス５３１の二次側の接地端子は、コネクタＣＮ５１０を介して接地ラインＬ０に接続されるとともに、液晶パネルモジュール１００の金属フレーム７００に接続される。金属フレーム７００は、金属シャーシ２００に接続される。【００２０】
駆動ＩＣ５１０の電源端子および入力端子は、コネクタＣＮ５１０を介して電源ラインＬ２および信号ラインＬ３にそれぞれ接続される。駆動ＩＣ５１０の出力端子には駆動パルス（矩形信号）Ｐｔが出力される。スイッチング回路５２１の電源端子は、コネクタＣＮ５１０を介して電源ラインＬ１に接続される。スイッチング回路５２１の制御端子は、駆動ＩＣ５１０の出力端子に接続される。【００２１】
昇圧トランス５３１の一次側の一対の入力端子は、スイッチング回路５２１の一対の出力端子に接続される。昇圧トランス５３１の二次側の出力端子は、コネクタＣＮ５２０を介してランプリード８１０に接続される。共振コンデンサ５５０は、昇圧トランス５３１の出力端子と接地端子との間に接続される。【００２２】
インバータ副基板５０２は、スイッチング回路５２２、昇圧トランス５３２および共振コンデンサ５６０を含む。【００２３】
スイッチング回路５２２の接地端子および昇圧トランス５３２の二次側の接地端子は、コネクタＣＮ５４０および電力供給ケーブル９００を介して接地ラインＬ０に接続されるとともに、液晶パネルモジュール１００の金属フレーム７００に接続される。【００２４】
スイッチング回路５２２の電源端子は、コネクタＣＮ５４０および電力供給ケーブル９００を介して電源ラインＬ１に接続される。スイッチング回路５２１の入力端子は、コネクタＣＮ５６０およびインバータ主基板５０１のコネクタＣＮ５３０を介して駆動ＩＣ５１０の出力端子に接続される。【００２５】
昇圧トランス５３２の一次側の一対の入力端子は、スイッチング回路５２２の一対の出力端子に接続される。昇圧トランス５３２の二次側の出力端子は、コネクタＣＮ５５０を介してランプリード８２０に接続される。共振コンデンサ５６０は、昇圧トランス５３２の出力端子と接地端子との間に接続される。【００２６】
ＥＥＦＬバックライト６００は、複数のＥＥＦＬ６０を含む。複数のＥＥＦＬ６０の一方の外部電極６３Ａはランプリード８１０に接続され、他方の外部電極６３Ｂはランプリード８２０に接続される。各ＥＥＦＬ６０と金属フレーム７００との間に寄生容量６１が存在する。【００２７】
上記のように、液晶表示装置にＥＥＦＬバックライト６００を用いた場合には、ＣＣＦＬバックライト５００を用いた場合に比べて部品点数が少なくなる。しかしながら、液晶表示装置のさらなる低価格化を実現するために、部品点数をさらに削減することにより部品コストをさらに低減することが望まれる。【００２８】
本発明の目的は、部品点数の削減によるさらなる低価格化が可能な液晶表示装置を提供することである。
【課題を解決するための手段】
【００２９】
（１）本発明の一局面に従う液晶表示装置は、液晶表示パネルおよびバックライトを含む液晶パネルモジュールと、外部電源から電源ラインを介して外部電圧を受ける第１の回路基板と、液晶表示パネルに接続される第２の回路基板と、バックライトに接続される第１および第２の出力端子を有する第３の回路基板と、外部電圧を整流する整流回路と、整流回路により整流された電圧をスイッチング動作により平滑化する平滑回路と、平滑回路により平滑化された電圧を第１の内部電圧に変換する第１のトランスと、第１の内部電圧をその第１の内部電圧よりも低い第２の内部電圧に変換する電圧変換器と、第１のトランスにより得られる第１の内部電圧または平滑回路により平滑化された電圧をスイッチングするスイッチング回路と、スイッチング回路の出力電圧を第１および第２の駆動電圧に変換して第１および第２の出力端子から出力する第２のトランスと、第２の回路基板に設けられ、第２の内部電圧により動作して液晶表示パネルに映像を表示させるパネル駆動回路とを備え、第１および第２の出力端子は第１および第２の導線を介してバックライトにそれぞれ接続され、整流回路および電圧変換器は第１の回路基板に設けられ、スイッチング回路および第２のトランスは第３の回路基板に設けられ、平滑回路および第１のトランスは第１の回路基板および第３の回路基板の一方に設けられるものである。【００３０】
その液晶表示装置においては、第１の回路基板に設けられる整流回路により外部電圧が整流される。整流された電圧は、第１または第３の回路基板に設けられる平滑回路により平滑化される。平滑化された電圧は、第１または第３の回路基板に設けられる第１のトランスにより第１の内部電圧に変換される。また、第１の回路基板に設けられる電圧変換器により第１の内部電圧が第２の内部電圧に変換される。第２の回路基板に設けられるパネル駆動回路が第２の内部電圧により動作して液晶表示パネルに映像を表示させる。【００３１】
また、第３の回路基板に設けられるスイッチング回路により第１の内部電圧または平滑化された電圧がスイッチングされる。第３の回路基板に設けられる第２のトランスによりスイッチング回路の出力電圧が第１および第２の駆動電圧に変換され、第１および第２の出力端子から出力される。それにより、バックライトが駆動される。【００３２】
このように、スイッチング回路および第２のトランスが共通の第３の回路基板に集約される。それにより、回路素子およびケーブルが削減される。それにより、部品点数の削減によるさらなる低価格化が可能となる。【００３３】
（２）液晶パネルモジュールは少なくとも背面側に導電性フレームを有し、導電性フレームの背面側に導電性シャーシが配置され、第１の回路基板および第２の回路基板は導電性シャーシ上に配置され、第３の回路基板は導電性フレームの背面側で導電性シャーシと異なる位置に配置され、導電性シャーシは導電性フレームに接続され、第１の回路基板の接地端子および第２の回路基板の接地端子は導電性シャーシに接続され、第３の回路基板の接地端子は導電性フレームに接続されてもよい。【００３４】
この場合、第１の回路基板の接地端子および第２の回路基板の接地端子は導電性シャーシを介して導電性フレームに接続され、第３の回路基板の接地端子は導電性フレームに接続される。それにより、第３の回路基板の接地端子は第１の回路基板および第２の回路基板の接地端子に直接は接続されない。したがって、バックライトから第１の回路基板を通して第３の回路基板へ流れる漏洩電流およびバックライトから第３の回路基板を通して第１の回路基板へ流れる漏洩電流を低減することができる。【００３５】
（３）液晶表示装置は、電源ラインのノイズを除去するノイズ除去回路をさらに備え、ノイズ除去回路は第１の回路基板に設けられてもよい。【００３６】
この場合、外部電圧に重畳されたノイズにより第１および第２の内部電圧が変動することが防止される。【００３７】
（４）ノイズ除去回路は、電源ラインと第１の回路基板の接地端子との間に接続される容量を有するノイズフィルタを含んでもよい。この場合、外部電圧に重畳されたノイズがノイズフィルタにより除去される。【００３８】
（５）平滑回路はアクティブフィルタを含んでもよい。この場合、整流回路により整流された電圧がアクティブフィルタのスイッチング動作により平滑化される。【００３９】
（６）平滑回路および第１のトランスは第１の回路基板に設けられ、スイッチング回路は、第１のトランスにより得られる第１の内部電圧をスイッチングしてもよい。【００４０】
この場合、第２のトランスから出力される第１および第２の駆動電圧がパルス幅変調される。それにより、バックライトの輝度を制御することができる。【００４１】
（７）平滑回路および第１のトランスは第３の回路基板に設けられ、スイッチング回路は、第１のトランスにより得られる第１の内部電圧をスイッチングしてもよい。【００４２】
この場合、平滑回路により平滑化された電圧が第１のトランスにより第１の内部電圧に変換され、第１の内部電圧がスイッチング回路によりスイッチングされ、スイッチングされた電圧が第２のトランスにより第１および第２の駆動電圧に変換される。【００４３】
ここで、第１のトランスは導電性シャーシと異なる位置に配置される第３の回路基板に設けられる。それにより、バックライトから導電性フレームへの漏洩電流は第１の回路基板にほとんど流れずに第３の回路基板の第１のトランスに流れる。したがって、漏洩電流によるノイズが導電性シャーシを通して第２の回路基板のパネル駆動回路に与えられることが防止される。【００４４】
また、第３の回路基板は導電性シャーシに直接接続されないので、導電性シャーシ上に設けられる第３の回路基板の平滑回路および第１のトランスからのノイズが第１の回路基板のノイズ除去回路に与えられることが防止される。【００４５】
これらの結果、パネル駆動回路により液晶表示パネルに表示される映像にノイズが現れることが防止される。【００４６】
（８）第１のトランスは第１の回路基板に設けられ、平滑回路は第３の回路基板に設けられ、スイッチング回路は、平滑回路により平滑化された電圧をスイッチングしてもよい。【００４７】
この場合、平滑回路により平滑化された電圧がスイッチング回路によりスイッチングされ、スイッチングされた電圧が第２のトランスにより第１および第２の駆動電圧に変換される。それにより、バックライトから導電性フレームへの漏洩電流は第１の回路基板にほとんど流れずに第３の回路基板の第２のトランスに流れる。したがって、漏洩電流によるノイズが導電性シャーシを通して第２の回路基板のパネル駆動回路に与えられることが防止される。【００４８】
また、第３の回路基板は導電性シャーシに直接接続されないので、導電性シャーシ上に設けられる第３の回路基板の平滑回路からのノイズが第１の回路基板のノイズ除去回路に与えられることが防止される。【００４９】
これらの結果、パネル駆動回路により液晶表示パネルに表示される映像にノイズが現れることが防止される。【００５０】
また、平滑回路により平滑化された電圧が第２のトランスにより１段階で第１および第２の駆動電圧に変換されるので、外部電圧から第１および第２の駆動電圧への変換効率が高くなる。【００５１】
（９）第１および第２の導線は導電性フレームの表面に沿って配置され、第２の導線の長さは第１の導線の長さよりも長く、第１の導線と導電性フレームとの間に形成される容量値が第２の導線と導電性フレームとの間に形成される容量値と等しくなるように第２の導線と導電性フレームとの間の距離が第１の導線と導電性フレームとの間の距離よりも大きく設定されてもよい。【００５２】
この場合、第１および第２の導線から導電性フレームに漏洩電流が与えられた場合でも、第１の導線の長さと第２の導線の長さとが異なることによる漏洩電流の非対称性が改善される。【００５３】
（１０）第１および第２の導線は導電性フレームの表面に沿って配置され、第２の導線の長さは第１の導線の長さよりも長く、第１の導線と導電性フレームとの間に形成される容量値が第２の導線と導電性フレームとの間に形成される容量値と等しくなるように第１の出力端子と導電性フレームとの間および第２の出力端子と導電性フレームとの間にそれぞれ第１および第２の容量成分が接続されてもよい。【００５４】
この場合、第１および第２の導線から導電性フレームに漏洩電流が与えられた場合でも、第１の導線の長さと第２の導線の長さとが異なることによる漏洩電流の非対称性が改善される。【００５５】
（１１）バックライトは、第１および第２の外部電極を有する複数の蛍光ランプを含み、複数の蛍光ランプの第１の外部電極は第１の導線を介して第１の出力端子に接続され、複数の蛍光ランプの第２の外部電極は第２の導線を介して第２の出力端子に接続されてもよい。【００５６】
この場合、バックライトの複数の蛍光ランプを共通の第２のトランスにより駆動することができる。したがって、第３の回路基板に設けられる部品点数をさらに削減することができる。
【発明の効果】
【００５７】
本発明によれば、第１および第２の駆動電圧を出力するスイッチング回路および第２のトランスが共通の第３の回路基板に集約される。それにより、回路素子およびケーブルが削減される。それにより、部品点数の削減によるさらなる低価格化が可能となる。
【図面の簡単な説明】
【００５８】
【図１】図１は第１の実施の形態に係る液晶表示装置の背面の回路基板の配置を示す模式図
【図２】図２は第１の実施の形態に係る液晶表示装置の回路構成を示すブロック図
【図３】図３はランプリードの非対称性による課題を説明するための図
【図４】図４はランプリードの非対称性に対する対策を説明するための図
【図５】図５はランプ漏洩電流の影響を説明するための図
【図６】図６はノイズフィルタへのランプ漏洩電流の影響を説明するための図
【図７】図７は第２の実施の形態に係る液晶表示装置の背面の回路基板の配置を示す模式図
【図８】図８は第２の実施の形態に係る液晶表示装置の回路構成を示すブロック図
【図９】図９は第３の実施の形態に係る液晶表示装置の背面の回路基板の配置を示す模式図
【図１０】図１０は第３の実施の形態に係る液晶表示装置の回路構成を示すブロック図
【図１１】図１１は一般的なＣＣＦＬバックライトの構成を示す模式図
【図１２】図１２は一般的なＥＥＦＬバックライトの構成を示す模式図
【図１３】図１３は従来の液晶表示装置の背面の回路基板の配置の一例を示す模式図
【図１４】図１４は従来の液晶表示装置の回路構成の一例を示すブロック図
【発明を実施するための最良の形態】
【００５９】
（１）第１の実施の形態
（１−１）液晶表示装置の構成
図１は第１の実施の形態に係る液晶表示装置の背面の回路基板の配置を示す模式図、図２は第１の実施の形態に係る液晶表示装置の回路構成を示すブロック図である。【００６０】
図１に示すように、液晶表示装置１Ａは、液晶パネルモジュール１を有する。液晶パネルモジュール１は、金属フレーム７内の前面側に液晶表示パネル１ａを含み、背面側に後述するＥＥＦＬバックライト６（図２参照）を含む。金属フレーム７は、液晶パネルモジュール１の剛性を高めるため、およびＥＥＦＬバックライト６を安定かつ容易に点灯させるために用いられる。液晶パネルモジュール１の金属フレーム７の背面上に金属シャーシ２が設けられる。金属シャーシ２上には、電源回路基板３および映像信号処理基板４が取り付けられる。【００６１】
金属シャーシ２上の電源回路基板３および映像信号処理基板４は、電源配線および信号配線が複雑にならないように液晶パネルモジュール１の背面の中央部に配置される。すなわち、電源回路基板３および映像信号処理基板４を液晶パネルモジュール１の背面の中央部に設けることにより、電源回路基板３および映像信号処理基板４と液晶表示パネル１ａとの間の配線を簡素化するとともに、液晶表示装置１Ａの厚みを小さくすることが可能となる。また、電源回路基板３および映像信号処理基板４を一体化しかつ接地導体を共通化するために、電源回路基板３および映像信号処理基板４は金属シャーシ２上に設けられる。【００６２】
金属フレーム７上の一方の側辺の近くにインバータ基板５が配置される。上記の理由から、インバータ基板５は液晶パネルモジュール１の背面の中央部には配置されない。【００６３】
なお、図１においては、後述する図２に示される回路素子のうち電源回路基板３に含まれるノイズフィルタ３１、アクティブフィルタ３３および絶縁トランス３４、ならびにインバータ基板５に含まれる昇圧トランス５３，５４のみが示され、他の回路素子の図示が省略されている。【００６４】
インバータ基板５の昇圧トランス５３は短尺のランプリード８１を介して液晶パネルモジュール１のＥＥＦＬバックライト６（図２）に接続され、インバータ基板５の昇圧トランス５４は長尺のランプリード８２を介して液晶パネルモジュール１のＥＥＦＬバックライト６（図２）に接続される。【００６５】
図２に示すように、電源回路基板３は、ノイズフィルタ３１、整流回路３２、アクティブフィルタ３３、絶縁トランス３４およびＤＣ−ＤＣ（直流−直流）コンバータ３５を含む。【００６６】
ノイズフィルタ３１は、コネクタＣＮ３１を介して１００Ｖの交流電源に接続される。ノイズフィルタ３１には、整流回路３２、アクティブフィルタ３３および絶縁トランス３４が順に接続される。絶縁トランス３４の二次側の接地端子および出力端子は、コネクタＣＮ３２を介してそれぞれ接地ラインＬ０および電源ラインＬ１に接続される。接地ラインＬ０には接地電位ＧＮＤが与えられ、電源ラインＬ１には電源電圧Ｖ０が与えられる。電源電圧Ｖ０は、たとえば数十Ｖ〜数百Ｖである。【００６７】
ＤＣ−ＤＣコンバータ３５の接地端子および入力端子は、絶縁トランス３４の接地端子および出力端子にそれぞれ接続される。ＤＣ−ＤＣコンバータ３５の出力端子は、コネクタＣＮ３２を介して電源ラインＬ２に接続される。また、絶縁トランス３４の接地端子およびＤＣ−ＤＣコンバータ３５の接地端子は、金属シャーシ２に接続される。電源ラインＬ２には電源電圧Ｖｃが与えられる。電源電圧Ｖｃは例えば３．３Ｖである。【００６８】
映像信号処理基板４は、映像信号処理回路４１およびバックライト制御量処理回路４２を含む。【００６９】
映像信号処理回路４１の接地端子およびバックライト制御量処理回路４２の接地端子は、コネクタＣＮ４１を介して接地ラインＬ０に接続されるとともに、金属シャーシ２に接続される。映像信号処理回路４１の電源端子はコネクタＣＮ４１を介して電源ラインＬ２に接続される。バックライト制御量処理回路４２の出力端子は、コネクタＣＮ４１を介して信号ラインＬ３に接続される。信号ラインＬ３には、バックライト制御量ＤＩＭが与えられる。バックライト制御量ＤＩＭは、ランプ電流設定値およびＰＷＭ（パルス幅変調）調光設定値を含む。映像信号処理回路４１は、液晶パネルモジュール１の液晶表示パネル１ａの画面上に映像を表示させる。【００７０】
インバータ基板５は、駆動ＩＣ（集積回路）５１、スイッチング回路５２、昇圧トランス５３，５４および電流調整用の共振コンデンサ５５，５６を含む。【００７１】
駆動ＩＣ５１の接地端子、スイッチング回路５２の接地端子および昇圧トランス５３，５４の二次側の接地端子は、コネクタＣＮ５１を介して接地ラインＬ０に接続されるとともに、液晶パネルモジュール１の金属フレーム７に接続される。金属フレーム７は、金属シャーシ２に接続される。【００７２】
駆動ＩＣ５１の電源端子および入力端子は、コネクタＣＮ５１を介して電源ラインＬ２および信号ラインＬ３にそれぞれ接続される。駆動ＩＣ５１の出力端子には駆動パルス（矩形信号）Ｐｔが出力される。スイッチング回路５２の電源端子は、コネクタＣＮ５１を介して電源ラインＬ１に接続される。スイッチング回路５２の制御端子は、駆動ＩＣ５１の出力端子に接続される。【００７３】
昇圧トランス５３の一次側の一対の入力端子は、スイッチング回路５２の一対の出力端子に接続される。昇圧トランス５３の二次側の出力端子は、コネクタＣＮ５２を介して短尺のランプリード８１に接続される。共振コンデンサ５５は、昇圧トランス５３の出力端子と接地端子との間に接続される。昇圧トランス５４の一次側の一対の入力端子は、スイッチング回路５２の一対の出力端子に接続される。昇圧トランス５４の二次側の出力端子は、コネクタＣＮ５３を介して長尺のランプリード８２に接続される。共振コンデンサ５６は、昇圧トランス５４の出力端子と接地端子との間に接続される。【００７４】
ＥＥＦＬバックライト６は、複数のＥＥＦＬ６０を含む。複数のＥＥＦＬ６０の一方の外部電極６３Ａはランプリード８１に接続され、他方の外部電極６３Ｂはランプリード８２に接続される。各ＥＥＦＬ６０と金属フレーム７との間に寄生容量６１が存在する。【００７５】
インバータ基板５の駆動ＩＣ５１は、映像信号処理基板４のバックライト制御量処理回路４２から与えられるバックライト制御量ＤＩＭに基づいて駆動パルスＰｔによりスイッチング回路５２を制御する。スイッチング回路５２は、駆動パルスＰｔに基づいて接地ラインＬ０および電源ラインＬ１から供給される電力をスイッチングし、一対の出力端子に互いに逆位相の電圧を出力する。昇圧トランス５３，５４は、スイッチング回路５２の一対の出力端子から出力される逆位相の電圧を昇圧し、昇圧された電圧をそれぞれ第１および第２の駆動電圧として短尺および長尺のランプリード８１，８２に出力する。それにより、ＥＥＦＬバックライト６の複数のＥＥＦＬ６０が駆動される。【００７６】
（１−２）インバータ基板の集約による効果
本実施の形態に係る液晶表示装置１Ａでは、図１３および図１４の液晶表示装置におけるインバータ主基板５０１およびインバータ副基板５０２が共通のインバータ基板５に集約される。この場合、インバータ基板５は、図１４の２つのスイッチング回路５２１，５２２の代わりに１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。【００７７】
（１−３）インバータ基板の集約による課題および対策
一方、インバータ基板５の昇圧トランス５３，５４とＥＥＦＬバックライト６とを接続するランプリード８１，８２の長さが非対称となる。それにより、ランプリード８１，８２の非対称性による課題が生じる。【００７８】
ここで、ランプリード８１，８２の非対称性による課題およびその対策について説明する。【００７９】
図３はランプリード８１，８２の非対称性による課題を説明するための図、図４はランプリード８１，８２の非対称性に対する対策を説明するための図である。【００８０】
図３に示すように、ＥＥＦＬバックライト６のＥＥＦＬ６０の外部電極６３Ａとインバータ基板５の昇圧トランス５３とは短尺のランプリード８１により接続され、ＥＥＦＬ６０の外部電極６３Ｂとインバータ基板５の昇圧トランス５４とは長尺のランプリード８２により接続される。【００８１】
短尺のランプリード８１と金属フレーム７との間には寄生容量がほとんど存在しない。それより、短尺のランプリード８１から金属フレーム７に漏洩電流はほとんど流れない。この場合、ＥＥＦＬ６０の外部電極６３Ａに供給されるランプ電流Ｉ（Ｒ’）は昇圧トランス５３からの出力電流Ｉ（Ｒ）とほぼ等しい。【００８２】
一方、長尺のランプリード８２は金属フレーム７の表面に沿って設けられる。そのため、ランプリード８２と金属フレーム７との間に寄生容量６２が存在する。それにより、長尺のランプリード８２から寄生容量６２を通して金属フレーム７にＥＥＦＬ６０の点灯に寄与しない漏洩電流が流れる。この場合、ＥＥＦＬ６０の外部電極６３Ｂに供給されるランプ電流Ｉ（Ｌ’）は昇圧トランス５４からの出力電流Ｉ（Ｌ）よりも小さくなる。【００８３】
このように、ＥＥＦＬ６０の外部電極６３Ａ，６３Ｂに供給されるランプ電流ランプ電流Ｉ（Ｒ’），Ｉ（Ｌ’）の大きさが非対称となる。その結果、ＥＥＦＬ６０の輝度が低下する。そこで、以下の方法で、ランプ電流Ｉ（Ｒ’），Ｉ（Ｌ’）の非対称性を改善する。【００８４】
第１の方法として、図４に示すように、導電体である金属フレーム７上に厚みを有する絶縁体８が配置され、絶縁体８上に長尺のランプリード８２が配置される。ランプリード８２は、テープ９により絶縁体８に固定される。あるいは、長尺のランプリード８２が金属フレーム７の表面から一定間隔離間された状態で金属フレーム７上に取り付けられてもよい。一方、短尺のランプリード８１は、金属フレーム７上に絶縁体を介さずに配置され、または絶縁体８よりも厚みの小さい絶縁体を介して配置される。【００８５】
これにより、長尺のランプリード８２と金属フレーム７との間の寄生容量が低減される。その結果、長尺のランプリード８２から金属フレーム７への漏洩電流が低減され、ランプ電流Ｉ（Ｒ’），Ｉ（Ｌ’）の非対称性が改善される。【００８６】
第２の方法として、昇圧トランス５４の出力電流Ｉ（Ｌ）が昇圧トランス５３の出力電流Ｉ（Ｒ）よりも大きくなるように図２の共振コンデンサ５５，５６の容量値が設定される。すなわち、共振コンデンサ５５，５６の容量値は、昇圧トランス５３の出力電流Ｉ（Ｒ）、外部電極６３Ａのランプ電流Ｉ（Ｒ’）、昇圧トランス５４の出力電流Ｉ（Ｌ）および外部電極６３Ｂのランプ電流Ｉ（Ｌ’）が次の関係を満たすように設定される。【００８７】
Ｉ（Ｌ）＞Ｉ（Ｌ’）＝Ｉ（Ｒ）＝Ｉ（Ｒ’）
これにより、ランプ電流Ｉ（Ｒ’），Ｉ（Ｌ’）の非対称性が補正される。なお、インバータ基板５の昇圧トランス５３，５４の出力端子と接地端子との間に共振コンデンサ５３，５４と別のコンデンサを接続することによりランプ電流Ｉ（Ｒ’），Ｉ（Ｌ’）の非対称性を補正してもよい。【００８８】
（１−４）第１の実施の形態の効果
本実施の形態に係る液晶表示装置１Ａでは、上記のように、図１３および図１４の液晶表示装置１００Ａにおけるインバータ主基板５０１およびインバータ副基板５０２が共通のインバータ基板５に集約され、インバータ基板５は１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。このように、部品点数が削減されるため、部品コストが低減される。【００８９】
（２）第２の実施の形態
次に説明する第２の実施の形態に係る液晶表示装置では、ＥＥＦＬバックライト６のＥＥＦＬ６０から金属フレーム７への漏洩電流の影響が低減される。以下、ＥＥＦＬ６０から金属フレーム７への漏洩電流をランプ漏洩電流と呼ぶ。【００９０】
（２−１）漏洩電流の影響
まず、図２、図５および図６を参照しながらランプ漏洩電流の影響について説明する。図５はランプ漏洩電流の影響を説明するための図である。【００９１】
図５に示すように、図２の液晶表示装置１Ａでは、ＥＥＦＬ６０が金属フレーム７に対向するように配置され、金属フレーム７上に金属シャーシ２が配置される。また、金属シャーシ２上に電源回路基板３および映像信号処理基板４が配置される。電源回路基板３および映像信号処理基板４の接地端子は、金属シャーシ２を通して金属フレーム７に接続される。【００９２】
図２の液晶表示装置１Ａでは、ＥＥＦＬバックライト６のＥＥＦＬ６０からランプ漏洩電流が寄生容量６１を介して金属フレーム７に与えられる。一部のランプ漏洩電流Ｉ２はインバータ基板５の昇圧トランス５３，５４の接地端子に流入する。一部のランプ漏洩電流Ｉ１は金属フレーム７および金属シャーシ２を通して電源回路基板３の絶縁トランス３４に流れる。【００９３】
特に、ＥＥＦＬバックライト６では、複数のＥＥＦＬ６０の外部電極６３Ａ，６３Ｂが金属フレーム７に対向している。また、複数のＥＥＦＬ６０の外部電極６３Ａ，６３Ｂが金属フレーム７上に配置される金属からなる一対のランプ固定板により一体的に保持される。それにより、金属フレーム７と外部電極６３Ａ，６３Ｂとの間の寄生容量６１は大きい。また、ＥＥＦＬ６０の点灯電圧は例えば８００〜１０００Ｖ程度であり、ＣＣＦＬの点灯電圧は例えば５００〜８００Ｖである。このように、ＥＥＦＬ６０の点灯電圧はＣＣＦＬの点灯電圧に比べて高い。さらに、ＥＥＦＬバックライト６では、すべてのＥＥＦＬ６０が同位相の電圧で駆動される。この場合、すべてのＥＥＦＬ６０から同時にランプ漏洩電流が生じる。これらの結果、ＥＥＦＬバックライト６からのランプ漏洩電流は大きい。【００９４】
金属シャーシ２はインピーダンスを有するため、金属フレーム７から金属シャーシ２にランプ漏洩電流が流入すると、金属シャーシ２の任意の異なる位置間で電位差が発生する。例えば、図２の電源回路基板３の接地端子が接続される金属シャーシ２の箇所と映像信号処理基板４の接地端子が接続される金属シャーシ２の箇所との間に電位差が発生する。一方、電源回路基板３の接地端子と映像信号処理基板４の接地端子とは接地ラインＬ０により接続されている。それにより、絶縁トランス３４に流れるランプ漏洩電流によりノイズが発生し、そのノイズが金属シャーシ２を通して映像信号処理基板４の接地端子に流入する。これにより、映像信号処理回路４１の接地電位ＧＮＤが変動する。その結果、映像信号処理回路４１により液晶表示パネル１ａの画面上に表示される映像にノイズが現れる可能性がある。【００９５】
また、絶縁トランス３４に流れるランプ漏洩電流は電源回路基板３のノイズフィルタ３１にも影響を与える。図６はノイズフィルタ３１へのランプ漏洩電流の影響を説明するための図である。【００９６】
図６において、電源回路基板３のノイズフィルタ３１は、ＡＣ（交流）ラインＬＡ，ＬＢ上のノイズを除去する。このノイズフィルタ３１は、ＡＣラインＬＡ，ＬＢ間に接続されるコンデンサＣ０、ＡＣラインＬＡと接地端子（金属シャーシ２）との間に接続されるコンデンサＣ１およびＡＣラインＬＢと接地端子（金属シャーシ２）との間に接続されるコンデンサＣ２を有する。【００９７】
整流回路３２は、ノイズフィルタ３１から出力される交流を整流し、脈流を出力する。アクティブフィルタ３３は、整流回路３２から出力される脈流を数十ｋＨｚの周波数でスイッチングして平滑化することにより直流を出力する。絶縁トランス３４の二次側の出力端子から電源ラインＬ１に数十Ｖ〜数百Ｖの電源電圧Ｖ０が与えられる。【００９８】
上記のように、ノイズフィルタ３１のＡＣラインＬＡ，ＬＢは、コンデンサＣ１，Ｃ２および金属シャーシ２を介して絶縁トランス３４の二次側の接地端子に接続される。したがって、絶縁トランス３４に流れるランプ漏洩電流により発生するノイズが金属シャーシ２を介してノイズフィルタ３１のＡＣラインＬＡ，ＬＢにＡＣラインノイズとして与えられる。【００９９】
また、図２の液晶表示装置１Ａでは、ノイズフィルタ３１、アクティブフィルタ３３および絶縁トランス３４が電源回路基板３に設けられる。この場合、ノイズフィルタ３１は、絶縁トランス３４からの漏洩磁束の影響を受ける。それにより、絶縁トランス３４に発生するノイズが漏洩磁束によりＡＣラインノイズとしてノイズフィルタ３１に与えられる。【０１００】
さらに、図２の液晶表示装置１Ａでは、ノイズフィルタ３１、アクティブフィルタ３３および絶縁トランス３４が電源回路基板３に設けられるので、アクティブフィルタ３３のスイッチング動作による高周波ノイズがＡＣラインノイズとしてノイズフィルタ３１に与えられる。【０１０１】
これらの結果、映像信号処理回路４１により液晶表示パネル１ａの画面上に表示される映像にノイズが現れる可能性がある。【０１０２】
そこで、第２の実施の形態に係る液晶表示装置では、以下の構成によりランプ漏洩電流の影響が低減される。【０１０３】
（２−２）液晶表示装置の構成
図７は第２の実施の形態に係る液晶表示装置の背面の回路基板の配置を示す模式図、図８は第２の実施の形態に係る液晶表示装置の回路構成を示すブロック図である。【０１０４】
第２の実施の形態に係る液晶表示装置１Ｂが第１の実施の形態に係る液晶表示装置１Ａと異なるのは次の点である。【０１０５】
図７に示すように、アクティブフィルタ３３および絶縁トランス３４がインバータ基板５上に設けられる。なお、図７においては、後述する図８に示される回路素子のうち電源回路基板３に含まれるノイズフィルタ３１、ならびにインバータ基板５に含まれるアクティブフィルタ３３、絶縁トランス３４および昇圧トランス５３，５４のみが示され、他の回路素子の図示が省略されている。【０１０６】
図８に示すように、電源回路基板３は、ノイズフィルタ３１、整流回路３２およびＤＣ−ＤＣコンバータ３５を含む。インバータ基板５は、アクティブフィルタ３３、絶縁トランス３４、駆動ＩＣ５１、スイッチング回路５２、昇圧トランス５３，５４および電流調整用の共振コンデンサ５５，５６を含む。【０１０７】
なお、映像信号処理基板４およびＥＥＦＬバックライト６の構成は図２に示した構成と同様である。【０１０８】
電源回路基板３の整流回路３２の一対の出力端子は、コネクタＣＮ３３を介して電源ラインＬ４，Ｌ５にそれぞれ接続される。ＤＣ−ＤＣコンバータ３５の入力端子は、コネクタＣＮ３４を介して電源ラインＬ１に接続される。ＤＣ−ＤＣコンバータ３５の接地端子は、接地ラインＬ０，Ｌ６に接続される。接地ラインＬ６には接地電位ＧＮＤが与えられる。【０１０９】
インバータ基板５のアクティブフィルタ３３の一対の入力端子は、コネクタＣＮ５４を介して電源ラインＬ４，Ｌ５にそれぞれ接続され、一対の出力端子は、絶縁トランス３４の一次側の一対の端子に接続される。絶縁トランス３４の二次側の出力端子は、スイッチング回路５２の電源端子に接続されるとともに、コネクタＣＮ５１を介して電源ラインＬ１に接続される。絶縁トランス３４の二次側の接地端子は、駆動ＩＣ５１の接地端子、スイッチング回路５２の接地端子、昇圧トランス５３，５４の二次側の接地端子および金属フレーム７に接続されるとともに、コネクタＣＮ５１を介して接地ラインＬ６に接続される。【０１１０】
（２−３）第２の実施の形態の効果
本実施の形態に係る液晶表示装置１Ｂでは、絶縁トランス３４が金属シャーシ２の外部のインバータ基板５に設けられる。それにより、ＥＥＦＬバックライト６から金属フレーム７へのランプ漏洩電流Ｉ２は、インバータ基板５の絶縁トランス３４に流れ、電源回路基板３へはランプ漏洩電流はほとんど流れない。この場合、絶縁トランス３４は金属シャーシ２の外部にあるので、絶縁トランス３４に発生するノイズは映像信号処理回路４１にほとんど与えられない。【０１１１】
また、絶縁トランス３４は金属シャーシ２には直接接続されていない。そのため、絶縁トランス３４に発生するノイズが金属シャーシ２を介してノイズフィルタ３１のＡＣラインＬＡ，ＬＢにＡＣラインノイズとして与えられることが防止される。【０１１２】
また、絶縁トランス３４が電源回路基板３に設けられないので、ノイズフィルタ３１が絶縁トランス３４からの漏洩磁束の影響を受けることが防止される。それにより、絶縁トランス３４に発生するノイズが漏洩磁束によりＡＣラインノイズとしてノイズフィルタ３１に与えられることが防止される。【０１１３】
さらに、アクティブフィルタ３３が電源回路基板３に設けられないので、アクティブフィルタ３３のスイッチング動作による高周波ノイズがＡＣラインノイズとしてノイズフィルタ３１に与えられることが防止される。【０１１４】
また、ランプリード８１，８２から金属フレーム２への漏洩電流が映像信号処理基板４の映像信号処理回路４１に影響を与えることも防止される。【０１１５】
これらの結果、映像信号処理回路４１により液晶表示パネル１ａの画面上に表示される映像にノイズが現れることが防止される。【０１１６】
本実施の形態においても、図１３および図１４の液晶表示装置１００Ａにおけるインバータ主基板５０１およびインバータ副基板５０２が共通のインバータ基板５に集約され、インバータ基板５は１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。このように、部品点数が削減されるため、部品コストが低減される。【０１１７】
（３）第３の実施の形態
次に説明する第３の実施の形態に係る液晶表示装置においても、第２の実施の形態に係る液晶表示装置と同様に、ランプ漏洩電流の影響が低減される。【０１１８】
（３−１）液晶表示装置の構成
図９は第３の実施の形態に係る液晶表示装置の背面の回路基板の配置を示す模式図、図１０は第３の実施の形態に係る液晶表示装置の回路構成を示すブロック図である。【０１１９】
第３の実施の形態に係る液晶表示装置１Ｃが第２の実施の形態に係る液晶表示装置１Ｂと異なるのは次の点である。【０１２０】
図９に示すように、インバータ基板５の絶縁トランス３４の代わりに絶縁トランス３４ａが電源回路基板３に設けられ、昇圧トランス５３，５４の代わりに昇圧絶縁トランス５８がインバータ基板５に設けられる。【０１２１】
なお、図９においては、後述する図１０に示される回路素子のうち電源回路基板３に含まれるノイズフィルタ３１および絶縁トランス３４ａ、ならびにインバータ基板５に含まれるアクティブフィルタ３３および絶縁昇圧トランス５８のみが示され、他の回路素子の図示が省略されている。【０１２２】
図１０に示すように、電源回路基板３は、ノイズフィルタ３１、整流回路３２、絶縁トランス３４ａおよびＤＣ−ＤＣコンバータ３５を含む。インバータ基板５は、アクティブフィルタ３３、駆動ＩＣ５１、スイッチング回路５２、昇圧絶縁トランス５８および電流調整用の共振コンデンサ５５，５６を含む。【０１２３】
なお、映像信号処理基板４およびＥＥＦＬバックライト６の構成は図２に示した構成と同様である。【０１２４】
電源回路基板３の絶縁トランス３４ａの一次側の一対の端子は、コネクタＣＮ３４を介して電源ラインＬ７，Ｌ８にそれぞれ接続される。絶縁トランス３４ａの二次側の出力端子は、ＤＣ−ＤＣコンバータ３５の入力端子に接続される。絶縁トランス３４ａの二次側の接地端子は、ＤＣ−ＤＣコンバータ３５の接地端子および金属シャーシ２に接続されるとともに、コネクタＣＮ３２を介して接地ラインＬ０に接続され、かつコネクタＣＮ３４を介して接地ラインＬ６に接続される。【０１２５】
インバータ基板５のアクティブフィルタ３３の一対の出力端子は、スイッチング回路５２の一対の入力端子にそれぞれ接続されるとともに、コネクタＣＮ５１を介して電源ラインＬ７，Ｌ８にそれぞれ接続される。駆動ＩＣ５１の接地端子は、コネクタＣＮ５１を介して接地ラインＬ６に接続される。【０１２６】
昇圧絶縁トランス５８の一次側の一対の入力端子は、スイッチング回路５２の一対の出力端子に接続される。昇圧絶縁トランス５８の二次側の一対の出力端子は、コネクタＣＮ５２，ＣＮ５３を介して短尺および長尺のランプリード８１，８２にそれぞれ接続される。共振コンデンサ５５，５６は、昇圧絶縁トランス５８の一対の出力端子と接地端子との間にそれぞれ接続される。【０１２７】
スイッチング回路５２は、駆動パルスＰｔに基づいてアクティブフィルタ３３から供給される電力をスイッチングし、一対の出力端子に互いに逆位相の電圧を出力する。昇圧絶縁トランス５８は、スイッチング回路５２の一対の出力端子から出力される逆位相の電圧を昇圧し、昇圧された電圧をそれぞれ第１および第２の駆動電圧として短尺および長尺のランプリード８１，８２に出力する。それにより、ＥＥＦＬバックライト６の複数のＥＥＦＬ６０が駆動される。【０１２８】
（３−２）第３の実施の形態の効果
本実施の形態に係る液晶表示装置１Ｃでは、電源回路基板３上の絶縁トランス３４ａにより映像信号処理基板４に電力が供給され、インバータ基板５上の昇圧絶縁トランス５８によりＥＥＦＬバックライト６に電力が供給される。この場合、絶縁トランス３４ａは小容量の電源として働く。それにより、ＥＥＦＬバックライト６から金属フレーム７へのランプ漏洩電流Ｉ２はインバータ基板５上の昇圧絶縁トランス５８に流れ、電源回路基板３上の絶縁トランス３４ａにはランプ漏洩電流はほとんど流れない。この場合、昇圧絶縁トランス５８は、金属シャーシ２の外部のインバータ基板５上に設けられるので、昇圧絶縁トランス５８にノイズが発生しても、そのノイズは映像信号処理回路４１にほとんど与えられない。【０１２９】
また、昇圧絶縁トランス５８は金属シャーシ２には直接接続されていない。そのため、昇圧絶縁トランス５８に発生するノイズが金属シャーシ２を介してノイズフィルタ３１のＡＣラインＬＡ，ＬＢにＡＣラインノイズとして与えられることが防止される。【０１３０】
また、昇圧絶縁トランス５８が電源回路基板３に設けられないので、ノイズフィルタ３１が昇圧絶縁トランス５８からの漏洩磁束の影響を受けることが防止される。それにより、昇圧絶縁トランス５８に発生するノイズが漏洩磁束によりＡＣラインノイズとしてノイズフィルタ３１に与えられることが防止される。【０１３１】
さらに、アクティブフィルタ３３が電源回路基板３に設けられないので、アクティブフィルタ３３のスイッチング動作による高周波ノイズがＡＣラインノイズとしてノイズフィルタ３１に与えられることが防止される。【０１３２】
また、ランプリード８１，８２から金属フレーム２への漏洩電流が映像信号処理基板４の映像信号処理回路４１に影響を与えることも防止される。【０１３３】
これらの結果、映像信号処理回路４１により液晶表示パネル１ａの画面上に表示される映像にノイズが現れることが防止される。【０１３４】
また、上記の第２の実施の形態に係る液晶表示装置１Ｂでは、インバータ基板５上で絶縁トランス３４および昇圧トランス５３，５４により２段階の電力変換が行われる。これに対して、本実施の形態に係る液晶表示装置１Ｃでは、インバータ基板５上で昇圧絶縁トランス５８により１段階の電力変換が行われる。交流電圧からインバータ基板５の出力電圧への変換効率が高くなる。【０１３５】
本実施の形態においても、図１３および図１４の液晶表示装置１００Ａにおけるインバータ主基板５０１およびインバータ副基板５０２が共通のインバータ基板５に集約され、インバータ基板５は１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。このように、部品点数が削減されるため、部品コストが低減される。【０１３６】
（４）他の実施の形態
第１および第２の実施の形態に係る液晶表示装置１Ａ，１Ｂにおいて、インバータ基板５に２つの昇圧トランス５３，５４の代わりに一対の出力端子を有する１つの昇圧トランスを設けてもよい。【０１３７】
第３の実施の形態に係る液晶表示装置１Ｃにおいて、インバータ基板５に１つの昇圧絶縁トランス５８の代わりに２つの昇圧絶縁トランスを設けてもよい。【０１３８】
第２の実施の形態に係る液晶表示装置１Ｂにおいて、アクティブフィルタ３３および絶縁トランス３４を金属シャーシ２の外部でかつインバータ基板５の外部に設けてもよい。例えば、金属フレーム７上の金属シャーシ２の外部の位置に別個の回路基板を配置し、その回路基板上にアクティブフィルタ３３および絶縁トランス３４を設けてもよい。【０１３９】
第３の実施の形態に係る液晶表示装置１Ｃにおいて、アクティブフィルタ３３を金属シャーシ２の外部でかつインバータ基板５の外部に設けてもよい。例えば、金属フレーム７上の金属シャーシ２の外部に位置に別個の回路基板を配置し、その回路基板上にアクティブフィルタ３３を設けてもよい。【０１４０】
（５）請求項の各構成要素と実施の形態の各要素との対応
以下、請求項の各構成要素と実施の形態の各要素との対応の例について説明するが、本発明は下記の例に限定されない。【０１４１】
上記実施の形態では、液晶パネルモジュール１が液晶パネルモジュールの例であり、ＥＥＦＬバックライト６がバックライトの例であり、ＥＥＦＬ６０が蛍光ランプの例であり、外部電極６３Ａ，６３Ｂが第１および第２の外部電極の例であり、金属フレーム７が導電性フレームの例であり、金属シャーシ２が導電性シャーシの例である。【０１４２】
また、電源回路基板３が第１の回路基板の例であり、映像信号処理基板４が第２の回路基板の例であり、インバータ基板５が第３の回路基板の例であり、コネクタＣＮ５２，ＣＮ５３が第１および第２の出力端子の例である。【０１４３】
さらに、ノイズフィルタ３１がノイズ除去回路またはノイズフィルタの例であり、整流回路３２が整流回路の例であり、アクティブフィルタ３３が平滑回路またはアクティブフィルタの例であり、絶縁トランス３４または絶縁トランス３４ａが第１のトランスの例であり、ＤＣ−ＤＣコンバータ３５が電圧変換器の例であり、映像信号処理回路４１がパネル駆動回路の例であり、スイッチング回路５２がスイッチング回路の例であり、昇圧トランス５３，５４または昇圧絶縁トランス５８が第２のトランスの例である。【０１４４】
また、電源電圧Ｖ０が第１の内部電圧の例であり、電源電圧Ｖｃが第２の内部電圧の例であり、アクティブフィルタ３３から出力される脈流が平滑化された電圧の例である。【０１４５】
請求項の各構成要素として、請求項に記載されている構成または機能を有する他の種々の要素を用いることもできる。
【産業上の利用可能性】
【０１４６】
本発明は、映像を表示するため等に利用することができる。
【図１】
2008090722.tif 000003
【図２】
2008090722.tif 000004
【図３】
2008090722.tif 000005
【図４】
2008090722.tif 000006
【図５】
2008090722.tif 000007
【図６】
2008090722.tif 000008
【図７】
2008090722.tif 000009
【図８】
2008090722.tif 000010
【図９】
2008090722.tif 000011
【図１０】
2008090722.tif 000012
【図１１】
2008090722.tif 000013
【図１２】
2008090722.tif 000014
【図１３】
2008090722.tif 000015
【図１４】
2008090722.tif 000016
【手続補正書】
【提出日】平成21年7月1日(2009.7.1)
【手続補正１】
【補正対象書類名】明細書
【補正対象項目名】全文
【補正方法】変更
【補正の内容】
【発明の詳細な説明】
【技術分野】
【０００１】
本発明は、液晶表示パネルおよびバックライトを含む液晶表示装置に関する。
【背景技術】
【０００２】
液晶表示装置に用いられる液晶パネルモジュールはバックライトを備える（例えば特許文献１参照）。液晶パネルモジュールのバックライト用の光源としては、一般に、複数の冷陰極蛍光ランプ（以下、ＣＣＦＬと呼ぶ）または複数の外部電極蛍光ランプ（以下、ＥＥＦＬと呼ぶ）が用いられる。以下、複数のＣＣＦＬを用いたバックライトをＣＣＦＬバックライトと呼び、複数のＥＥＦＬを用いたバックライトをＥＥＦＬバックライトと呼ぶ。
【０００３】
図１１は一般的なＣＣＦＬバックライトの構成を示す模式図である。
【０００４】
図１１に示すように、ＣＣＦＬバックライト５００は、平行に配列された複数のＣＣＦＬ５０を含む。各ＣＣＦＬ５０内の両端部に内部電極が設けられる。複数のＣＣＦＬ５０の一端は、それぞれバラストコンデンサＣＢを介して昇圧トランス４０に接続される。複数のＣＣＦＬ５０の他端は接地される。バラストコンデンサＣＢは安定器の働きを行う。
【０００５】
このように、図１１のＣＣＦＬバックライト５００では、各ＣＣＦＬ５０にバラストコンデンサＣＢおよび昇圧トランス４０が必要であるため、部品点数が多く、合計の部品コストが高くなる。
【０００６】
図１２は一般的なＥＥＦＬバックライトの構成を示す模式図である。
【０００７】
図１２に示すように、ＥＥＦＬバックライト６００は、平行に配置された複数のＥＥＦＬ６０を含む。各ＥＥＦＬ６０の両端部上には外部電極が設けられる。複数のＥＥＦＬ６０の一方の外部電極６３Ａは共通の昇圧トランス７０ａに接続され、複数のＥＥＦＬ６０の他方の外部電極６３Ｂは共通の昇圧トランス７０ｂに接続される。複数の外部電極６３Ａは金属からなるランプ固定板により一体的に保持され、複数の外部電極６３Ｂも金属からなるランプ固定板により一体的に保持される（例えば特許文献２参照）。
【０００８】
ＥＥＦＬ６０の外部電極６３Ａ，６３Ｂは、安定器の役割を果たすため、ＥＥＦＬ６０の両端部にそれぞれ共通の昇圧トランス７０ａ，７０ｂを接続することができる。そのため、部品点数が少なくなる。その反面、外部電極を有するＥＥＦＬ６０の点灯電圧は内部電極を有するＣＣＦＬ５０の点灯電圧に比べて高い。そのため、複数のＥＥＦＬ６０の両端部に差動動作する昇圧トランス７０ａ，７０ｂがそれぞれ接続される。しかしながら、ＥＥＦＬバックライト６００を用いた場合には、ＣＣＦＬバックライト５００を用いた場合に比べて合計の部品点数が少なく、合計の部品コストが低減される。
【先行技術文献】
【特許文献】
【０００９】
【特許文献１】特開２０００−１６２５９３号公報
【特許文献２】特開２００４−２４７２７７号公報
【発明の概要】
【発明が解決しようとする課題】
【００１０】
図１３は従来の液晶表示装置の背面の回路基板の配置の一例を示す模式図、図１４は従来の液晶表示装置の回路構成の一例を示すブロック図である。
【００１１】
図１３に示すように、液晶表示装置１００Ａは、液晶パネルモジュール１００を有する。液晶パネルモジュール１００は、金属フレーム７００内の前面側に液晶表示パネル（図示せず）を含み、背面側に後述するＥＥＦＬバックライト６００（図１４参照）を含む。金属フレーム７００は、液晶パネルモジュール１００の剛性を高めるため、およびＥＥＦＬバックライト６を安定かつ容易に点灯させるために用いられる。液晶パネルモジュール１００の金属フレーム７００の背面上に金属シャーシ２００が設けられる。金属シャーシ２００上には、電源回路基板３００および映像信号処理基板４００が取り付けられる。金属シャーシ２００上の電源回路基板３００および映像信号処理基板４００は、電源配線および信号配線が複雑にならないように液晶パネルモジュール１００の背面の中央部に配置される。金属フレーム７００上の両側辺の近くにインバータ主基板５０１およびインバータ副基板５０２が配置される。
【００１２】
なお、図１３においては、後述する図１４に示される回路素子のうち電源回路基板３００に含まれるノイズフィルタ３１０、アクティブフィルタ３３０および絶縁トランス３４０、インバータ主基板５０１に含まれる昇圧トランス５３１ならびにインバータ副基板５０２に含まれる昇圧トランス５３２のみが示され、他の回路素子の図示が省略されている。
【００１３】
インバータ主基板５０１の昇圧トランス５３１はランプリード８１０を介して液晶パネルモジュール１００のＥＥＦＬバックライト６００（図１４）に接続され、インバータ副基板５０２の昇圧トランス５３２はランプリード８２０を介して液晶パネルモジュール１００のＥＥＦＬバックライト６００（図１４）に接続される。ランプリード８１０，８２０は同じ長さを有する。
【００１４】
図１４に示すように、電源回路基板３００は、ノイズフィルタ３１０、整流回路３２０、アクティブフィルタ３３０、絶縁トランス３４０およびＤＣ−ＤＣ（直流−直流）コンバータ３５０を含む。
【００１５】
ノイズフィルタ３１０は、コネクタＣＮ３１０を介して１００Ｖの交流電源に接続される。ノイズフィルタ３１０には、整流回路３２０、アクティブフィルタ３３０および絶縁トランス３４０が順に接続される。絶縁トランス３４０の二次側の接地端子および出力端子は、コネクタＣＮ３２０を介してそれぞれ接地ラインＬ０および電源ラインＬ１に接続される。接地ラインＬ０には接地電位ＧＮＤが与えられ、電源ラインＬ１には電源電圧Ｖ０が与えられる。
【００１６】
ＤＣ−ＤＣコンバータ３５０の接地端子および入力端子は、絶縁トランス３４０の接地端子および出力端子にそれぞれ接続される。ＤＣ−ＤＣコンバータ３５０の出力端子は、コネクタＣＮ３２０を介して電源ラインＬ２に接続される。また、絶縁トランス３４０の接地端子およびＤＣ−ＤＣコンバータ３５０の接地端子は、金属シャーシ２００に接続される。電源ラインＬ２には電源電圧Ｖｃが与えられる。
【００１７】
映像信号処理基板４００は、映像信号処理回路４１０およびバックライト制御量処理回路４２０を含む。
【００１８】
映像信号処理回路４１０の接地端子およびバックライト制御量処理回路４２０の接地端子は、コネクタＣＮ４１０を介して接地ラインＬ０に接続されるとともに、金属シャーシ２００に接続される。映像信号処理回路４１０の電源端子はコネクタＣＮ４１０を介して電源ラインＬ２に接続される。バックライト制御量処理回路４２０の出力端子は、コネクタＣＮ４１０を介して信号ラインＬ３に接続される。信号ラインＬ３には、バックライト制御量ＤＩＭが与えられる。バックライト制御量ＤＩＭは、ランプ電流設定値およびＰＷＭ（パルス幅変調）調光設定値を含む。
【００１９】
インバータ主基板５０１は、駆動ＩＣ（集積回路）５１０、スイッチング回路５２１、昇圧トランス５３１および電流調整用の共振コンデンサ５５０を含む。
【００２０】
駆動ＩＣ５１０の接地端子、スイッチング回路５２１の接地端子および昇圧トランス５３１の二次側の接地端子は、コネクタＣＮ５１０を介して接地ラインＬ０に接続されるとともに、液晶パネルモジュール１００の金属フレーム７００に接続される。金属フレーム７００は、金属シャーシ２００に接続される。
【００２１】
駆動ＩＣ５１０の電源端子および入力端子は、コネクタＣＮ５１０を介して電源ラインＬ２および信号ラインＬ３にそれぞれ接続される。駆動ＩＣ５１０の出力端子には駆動パルス（矩形信号）Ｐｔが出力される。スイッチング回路５２１の電源端子は、コネクタＣＮ５１０を介して電源ラインＬ１に接続される。スイッチング回路５２１の制御端子は、駆動ＩＣ５１０の出力端子に接続される。
【００２２】
昇圧トランス５３１の一次側の一対の入力端子は、スイッチング回路５２１の一対の出力端子に接続される。昇圧トランス５３１の二次側の出力端子は、コネクタＣＮ５２０を介してランプリード８１０に接続される。共振コンデンサ５５０は、昇圧トランス５３１の出力端子と接地端子との間に接続される。
【００２３】
インバータ副基板５０２は、スイッチング回路５２２、昇圧トランス５３２および共振コンデンサ５６０を含む。
【００２４】
スイッチング回路５２２の接地端子および昇圧トランス５３２の二次側の接地端子は、コネクタＣＮ５４０および電力供給ケーブル９００を介して接地ラインＬ０に接続されるとともに、液晶パネルモジュール１００の金属フレーム７００に接続される。
【００２５】
スイッチング回路５２２の電源端子は、コネクタＣＮ５４０および電力供給ケーブル９００を介して電源ラインＬ１に接続される。スイッチング回路５２２の入力端子は、コネクタＣＮ５６０およびインバータ主基板５０１のコネクタＣＮ５３０を介して駆動ＩＣ５１０の出力端子に接続される。
【００２６】
昇圧トランス５３２の一次側の一対の入力端子は、スイッチング回路５２２の一対の出力端子に接続される。昇圧トランス５３２の二次側の出力端子は、コネクタＣＮ５５０を介してランプリード８２０に接続される。共振コンデンサ５６０は、昇圧トランス５３２の出力端子と接地端子との間に接続される。
【００２７】
ＥＥＦＬバックライト６００は、複数のＥＥＦＬ６０を含む。複数のＥＥＦＬ６０の一方の外部電極６３Ａはランプリード８１０に接続され、他方の外部電極６３Ｂはランプリード８２０に接続される。各ＥＥＦＬ６０と金属フレーム７００との間に寄生容量６１が存在する。
【００２８】
上記のように、液晶表示装置にＥＥＦＬバックライト６００を用いた場合には、ＣＣＦＬバックライト５００を用いた場合に比べて部品点数が少なくなる。しかしながら、液晶表示装置のさらなる低価格化を実現するために、部品点数をさらに削減することにより部品コストをさらに低減することが望まれる。
【００２９】
本発明の目的は、部品点数の削減によるさらなる低価格化が可能な液晶表示装置を提供することである。
【課題を解決するための手段】
【００３０】
（１）本発明の一局面に従う液晶表示装置は、液晶表示パネルおよびバックライトを含む液晶パネルモジュールと、外部電源から電源ラインを介して外部電圧を受ける第１の回路基板と、液晶表示パネルに接続される第２の回路基板と、バックライトに接続される第１および第２の出力端子を有する第３の回路基板と、外部電圧を整流する整流回路と、整流回路により整流された電圧をスイッチング動作により平滑化する平滑回路と、平滑回路により平滑化された電圧を第１の内部電圧に変換する第１のトランスと、第１の内部電圧をその第１の内部電圧よりも低い第２の内部電圧に変換する電圧変換器と、第１のトランスにより得られる第１の内部電圧または平滑回路により平滑化された電圧をスイッチングするスイッチング回路と、スイッチング回路の出力電圧を第１および第２の駆動電圧に変換して第１および第２の出力端子から出力する第２のトランスと、第２の回路基板に設けられ、第２の内部電圧により動作して液晶表示パネルに映像を表示させるパネル駆動回路とを備え、第１および第２の出力端子は第１および第２の導線を介してバックライトにそれぞれ接続され、整流回路および電圧変換器は第１の回路基板に設けられ、スイッチング回路および第２のトランスは第３の回路基板に設けられ、平滑回路および第１のトランスは第１の回路基板および第３の回路基板の一方に設けられるものである。
【００３１】
その液晶表示装置においては、第１の回路基板に設けられる整流回路により外部電圧が整流される。整流された電圧は、第１または第３の回路基板に設けられる平滑回路により平滑化される。平滑化された電圧は、第１または第３の回路基板に設けられる第１のトランスにより第１の内部電圧に変換される。また、第１の回路基板に設けられる電圧変換器により第１の内部電圧が第２の内部電圧に変換される。第２の回路基板に設けられるパネル駆動回路が第２の内部電圧により動作して液晶表示パネルに映像を表示させる。
【００３２】
また、第３の回路基板に設けられるスイッチング回路により第１の内部電圧または平滑化された電圧がスイッチングされる。第３の回路基板に設けられる第２のトランスによりスイッチング回路の出力電圧が第１および第２の駆動電圧に変換され、第１および第２の出力端子から出力される。それにより、バックライトが駆動される。
【００３３】
このように、スイッチング回路および第２のトランスが共通の第３の回路基板に集約される。それにより、回路素子およびケーブルが削減される。それにより、部品点数の削減によるさらなる低価格化が可能となる。
【００３４】
（２）液晶パネルモジュールは少なくとも背面側に導電性フレームを有し、導電性フレームの背面側に導電性シャーシが配置され、第１の回路基板および第２の回路基板は導電性シャーシ上に配置され、第３の回路基板は導電性フレームの背面側で導電性シャーシと異なる位置に配置され、導電性シャーシは導電性フレームに接続され、第１の回路基板の接地端子および第２の回路基板の接地端子は導電性シャーシに接続され、第３の回路基板の接地端子は導電性フレームに接続されてもよい。
【００３５】
この場合、第１の回路基板の接地端子および第２の回路基板の接地端子は導電性シャーシを介して導電性フレームに接続され、第３の回路基板の接地端子は導電性フレームに接続される。それにより、第３の回路基板の接地端子は第１の回路基板および第２の回路基板の接地端子に直接は接続されない。したがって、バックライトから第１の回路基板を通して第３の回路基板へ流れる漏洩電流およびバックライトから第３の回路基板を通して第１の回路基板へ流れる漏洩電流を低減することができる。
【００３６】
（３）液晶表示装置は、電源ラインのノイズを除去するノイズ除去回路をさらに備え、ノイズ除去回路は第１の回路基板に設けられてもよい。
【００３７】
この場合、外部電圧に重畳されたノイズにより第１および第２の内部電圧が変動することが防止される。
【００３８】
（４）ノイズ除去回路は、電源ラインと第１の回路基板の接地端子との間に接続される容量を有するノイズフィルタを含んでもよい。この場合、外部電圧に重畳されたノイズがノイズフィルタにより除去される。
【００３９】
（５）平滑回路はアクティブフィルタを含んでもよい。この場合、整流回路により整流された電圧がアクティブフィルタのスイッチング動作により平滑化される。
【００４０】
（６）平滑回路および第１のトランスは第１の回路基板に設けられ、スイッチング回路は、第１のトランスにより得られる第１の内部電圧をスイッチングしてもよい。
【００４１】
この場合、第２のトランスから出力される第１および第２の駆動電圧がパルス幅変調される。それにより、バックライトの輝度を制御することができる。
【００４２】
（７）平滑回路および第１のトランスは第３の回路基板に設けられ、スイッチング回路は、第１のトランスにより得られる第１の内部電圧をスイッチングしてもよい。
【００４３】
この場合、平滑回路により平滑化された電圧が第１のトランスにより第１の内部電圧に変換され、第１の内部電圧がスイッチング回路によりスイッチングされ、スイッチングされた電圧が第２のトランスにより第１および第２の駆動電圧に変換される。
【００４４】
ここで、第１のトランスは導電性シャーシと異なる位置に配置される第３の回路基板に設けられる。それにより、バックライトから導電性フレームへの漏洩電流は第１の回路基板にほとんど流れずに第３の回路基板の第１のトランスに流れる。したがって、漏洩電流によるノイズが導電性シャーシを通して第２の回路基板のパネル駆動回路に与えられることが防止される。
【００４５】
また、第３の回路基板は導電性シャーシに直接接続されないので、導電性シャーシ上に設けられる第３の回路基板の平滑回路および第１のトランスからのノイズが第１の回路基板のノイズ除去回路に与えられることが防止される。
【００４６】
これらの結果、パネル駆動回路により液晶表示パネルに表示される映像にノイズが現れることが防止される。
【００４７】
（８）第１のトランスは第１の回路基板に設けられ、平滑回路は第３の回路基板に設けられ、スイッチング回路は、平滑回路により平滑化された電圧をスイッチングしてもよい。
【００４８】
この場合、平滑回路により平滑化された電圧がスイッチング回路によりスイッチングされ、スイッチングされた電圧が第２のトランスにより第１および第２の駆動電圧に変換される。それにより、バックライトから導電性フレームへの漏洩電流は第１の回路基板にほとんど流れずに第３の回路基板の第２のトランスに流れる。したがって、漏洩電流によるノイズが導電性シャーシを通して第２の回路基板のパネル駆動回路に与えられることが防止される。
【００４９】
また、第３の回路基板は導電性シャーシに直接接続されないので、導電性シャーシ上に設けられる第３の回路基板の平滑回路からのノイズが第１の回路基板のノイズ除去回路に与えられることが防止される。
【００５０】
これらの結果、パネル駆動回路により液晶表示パネルに表示される映像にノイズが現れることが防止される。
【００５１】
また、平滑回路により平滑化された電圧が第２のトランスにより１段階で第１および第２の駆動電圧に変換されるので、外部電圧から第１および第２の駆動電圧への変換効率が高くなる。
【００５２】
（９）第１および第２の導線は導電性フレームの表面に沿って配置され、第２の導線の長さは第１の導線の長さよりも長く、第１の導線と導電性フレームとの間に形成される容量値が第２の導線と導電性フレームとの間に形成される容量値と等しくなるように第２の導線と導電性フレームとの間の距離が第１の導線と導電性フレームとの間の距離よりも大きく設定されてもよい。
【００５３】
この場合、第１および第２の導線から導電性フレームに漏洩電流が与えられた場合でも、第１の導線の長さと第２の導線の長さとが異なることによる漏洩電流の非対称性が改善される。
【００５４】
（１０）第１および第２の導線は導電性フレームの表面に沿って配置され、第２の導線の長さは第１の導線の長さよりも長く、第１の導線と導電性フレームとの間に形成される容量値が第２の導線と導電性フレームとの間に形成される容量値と等しくなるように第１の出力端子と導電性フレームとの間および第２の出力端子と導電性フレームとの間にそれぞれ第１および第２の容量成分が接続されてもよい。
【００５５】
この場合、第１および第２の導線から導電性フレームに漏洩電流が与えられた場合でも、第１の導線の長さと第２の導線の長さとが異なることによる漏洩電流の非対称性が改善される。
【００５６】
（１１）バックライトは、第１および第２の外部電極を有する複数の蛍光ランプを含み、複数の蛍光ランプの第１の外部電極は第１の導線を介して第１の出力端子に接続され、複数の蛍光ランプの第２の外部電極は第２の導線を介して第２の出力端子に接続されてもよい。
【００５７】
この場合、バックライトの複数の蛍光ランプを共通の第２のトランスにより駆動することができる。したがって、第３の回路基板に設けられる部品点数をさらに削減することができる。
【発明の効果】
【００５８】
本発明によれば、第１および第２の駆動電圧を出力するスイッチング回路および第２のトランスが共通の第３の回路基板に集約される。それにより、回路素子およびケーブルが削減される。それにより、部品点数の削減によるさらなる低価格化が可能となる。
【図面の簡単な説明】
【００５９】
【図１】図１は第１の実施の形態に係る液晶表示装置の背面の回路基板の配置を示す模式図
【図２】図２は第１の実施の形態に係る液晶表示装置の回路構成を示すブロック図
【図３】図３はランプリードの非対称性による課題を説明するための図
【図４】図４はランプリードの非対称性に対する対策を説明するための図
【図５】図５はランプ漏洩電流の影響を説明するための図
【図６】図６はノイズフィルタへのランプ漏洩電流の影響を説明するための図
【図７】図７は第２の実施の形態に係る液晶表示装置の背面の回路基板の配置を示す模式図
【図８】図８は第２の実施の形態に係る液晶表示装置の回路構成を示すブロック図
【図９】図９は第３の実施の形態に係る液晶表示装置の背面の回路基板の配置を示す模式図
【図１０】図１０は第３の実施の形態に係る液晶表示装置の回路構成を示すブロック図
【図１１】図１１は一般的なＣＣＦＬバックライトの構成を示す模式図
【図１２】図１２は一般的なＥＥＦＬバックライトの構成を示す模式図
【図１３】図１３は従来の液晶表示装置の背面の回路基板の配置の一例を示す模式図
【図１４】図１４は従来の液晶表示装置の回路構成の一例を示すブロック図
【発明を実施するための形態】
【００６０】
（１）第１の実施の形態
（１−１）液晶表示装置の構成
図１は第１の実施の形態に係る液晶表示装置の背面の回路基板の配置を示す模式図、図２は第１の実施の形態に係る液晶表示装置の回路構成を示すブロック図である。
【００６１】
図１に示すように、液晶表示装置１Ａは、液晶パネルモジュール１を有する。液晶パネルモジュール１は、金属フレーム７内の前面側に液晶表示パネル１ａを含み、背面側に後述するＥＥＦＬバックライト６（図２参照）を含む。金属フレーム７は、液晶パネルモジュール１の剛性を高めるため、およびＥＥＦＬバックライト６を安定かつ容易に点灯させるために用いられる。液晶パネルモジュール１の金属フレーム７の背面上に金属シャーシ２が設けられる。金属シャーシ２上には、電源回路基板３および映像信号処理基板４が取り付けられる。
【００６２】
金属シャーシ２上の電源回路基板３および映像信号処理基板４は、電源配線および信号配線が複雑にならないように液晶パネルモジュール１の背面の中央部に配置される。すなわち、電源回路基板３および映像信号処理基板４を液晶パネルモジュール１の背面の中央部に設けることにより、電源回路基板３および映像信号処理基板４と液晶表示パネル１ａとの間の配線を簡素化するとともに、液晶表示装置１Ａの厚みを小さくすることが可能となる。また、電源回路基板３および映像信号処理基板４を一体化しかつ接地導体を共通化するために、電源回路基板３および映像信号処理基板４は金属シャーシ２上に設けられる。
【００６３】
金属フレーム７上の一方の側辺の近くにインバータ基板５が配置される。上記の理由から、インバータ基板５は液晶パネルモジュール１の背面の中央部には配置されない。
【００６４】
なお、図１においては、後述する図２に示される回路素子のうち電源回路基板３に含まれるノイズフィルタ３１、アクティブフィルタ３３および絶縁トランス３４、ならびにインバータ基板５に含まれる昇圧トランス５３，５４のみが示され、他の回路素子の図示が省略されている。
【００６５】
インバータ基板５の昇圧トランス５３は短尺のランプリード８１を介して液晶パネルモジュール１のＥＥＦＬバックライト６（図２）に接続され、インバータ基板５の昇圧トランス５４は長尺のランプリード８２を介して液晶パネルモジュール１のＥＥＦＬバックライト６（図２）に接続される。
【００６６】
図２に示すように、電源回路基板３は、ノイズフィルタ３１、整流回路３２、アクティブフィルタ３３、絶縁トランス３４およびＤＣ−ＤＣ（直流−直流）コンバータ３５を含む。
【００６７】
ノイズフィルタ３１は、コネクタＣＮ３１を介して１００Ｖの交流電源に接続される。ノイズフィルタ３１には、整流回路３２、アクティブフィルタ３３および絶縁トランス３４が順に接続される。絶縁トランス３４の二次側の接地端子および出力端子は、コネクタＣＮ３２を介してそれぞれ接地ラインＬ０および電源ラインＬ１に接続される。接地ラインＬ０には接地電位ＧＮＤが与えられ、電源ラインＬ１には電源電圧Ｖ０が与えられる。電源電圧Ｖ０は、たとえば数十Ｖ〜数百Ｖである。
【００６８】
ＤＣ−ＤＣコンバータ３５の接地端子および入力端子は、絶縁トランス３４の接地端子および出力端子にそれぞれ接続される。ＤＣ−ＤＣコンバータ３５の出力端子は、コネクタＣＮ３２を介して電源ラインＬ２に接続される。また、絶縁トランス３４の接地端子およびＤＣ−ＤＣコンバータ３５の接地端子は、金属シャーシ２に接続される。電源ラインＬ２には電源電圧Ｖｃが与えられる。電源電圧Ｖｃは例えば３．３Ｖである。
【００６９】
映像信号処理基板４は、映像信号処理回路４１およびバックライト制御量処理回路４２を含む。
【００７０】
映像信号処理回路４１の接地端子およびバックライト制御量処理回路４２の接地端子は、コネクタＣＮ４１を介して接地ラインＬ０に接続されるとともに、金属シャーシ２に接続される。映像信号処理回路４１の電源端子はコネクタＣＮ４１を介して電源ラインＬ２に接続される。バックライト制御量処理回路４２の出力端子は、コネクタＣＮ４１を介して信号ラインＬ３に接続される。信号ラインＬ３には、バックライト制御量ＤＩＭが与えられる。バックライト制御量ＤＩＭは、ランプ電流設定値およびＰＷＭ（パルス幅変調）調光設定値を含む。映像信号処理回路４１は、液晶パネルモジュール１の液晶表示パネル１ａの画面上に映像を表示させる。
【００７１】
インバータ基板５は、駆動ＩＣ（集積回路）５１、スイッチング回路５２、昇圧トランス５３，５４および電流調整用の共振コンデンサ５５，５６を含む。
【００７２】
駆動ＩＣ５１の接地端子、スイッチング回路５２の接地端子および昇圧トランス５３，５４の二次側の接地端子は、コネクタＣＮ５１を介して接地ラインＬ０に接続されるとともに、液晶パネルモジュール１の金属フレーム７に接続される。金属フレーム７は、金属シャーシ２に接続される。
【００７３】
駆動ＩＣ５１の電源端子および入力端子は、コネクタＣＮ５１を介して電源ラインＬ２および信号ラインＬ３にそれぞれ接続される。駆動ＩＣ５１の出力端子には駆動パルス（矩形信号）Ｐｔが出力される。スイッチング回路５２の電源端子は、コネクタＣＮ５１を介して電源ラインＬ１に接続される。スイッチング回路５２の制御端子は、駆動ＩＣ５１の出力端子に接続される。
【００７４】
昇圧トランス５３の一次側の一対の入力端子は、スイッチング回路５２の一対の出力端子に接続される。昇圧トランス５３の二次側の出力端子は、コネクタＣＮ５２を介して短尺のランプリード８１に接続される。共振コンデンサ５５は、昇圧トランス５３の出力端子と接地端子との間に接続される。昇圧トランス５４の一次側の一対の入力端子は、スイッチング回路５２の一対の出力端子に接続される。昇圧トランス５４の二次側の出力端子は、コネクタＣＮ５３を介して長尺のランプリード８２に接続される。共振コンデンサ５６は、昇圧トランス５４の出力端子と接地端子との間に接続される。
【００７５】
ＥＥＦＬバックライト６は、複数のＥＥＦＬ６０を含む。複数のＥＥＦＬ６０の一方の外部電極６３Ａはランプリード８１に接続され、他方の外部電極６３Ｂはランプリード８２に接続される。各ＥＥＦＬ６０と金属フレーム７との間に寄生容量６１が存在する。
【００７６】
インバータ基板５の駆動ＩＣ５１は、映像信号処理基板４のバックライト制御量処理回路４２から与えられるバックライト制御量ＤＩＭに基づいて駆動パルスＰｔによりスイッチング回路５２を制御する。スイッチング回路５２は、駆動パルスＰｔに基づいて接地ラインＬ０および電源ラインＬ１から供給される電力をスイッチングし、一対の出力端子に互いに逆位相の電圧を出力する。昇圧トランス５３，５４は、スイッチング回路５２の一対の出力端子から出力される逆位相の電圧を昇圧し、昇圧された電圧をそれぞれ第１および第２の駆動電圧として短尺および長尺のランプリード８１，８２に出力する。それにより、ＥＥＦＬバックライト６の複数のＥＥＦＬ６０が駆動される。
【００７７】
（１−２）インバータ基板の集約による効果
本実施の形態に係る液晶表示装置１Ａでは、図１３および図１４の液晶表示装置におけるインバータ主基板５０１およびインバータ副基板５０２が共通のインバータ基板５に集約される。この場合、インバータ基板５は、図１４の２つのスイッチング回路５２１，５２２の代わりに１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。
【００７８】
（１−３）インバータ基板の集約による課題および対策
一方、インバータ基板５の昇圧トランス５３，５４とＥＥＦＬバックライト６とを接続するランプリード８１，８２の長さが非対称となる。それにより、ランプリード８１，８２の非対称性による課題が生じる。
【００７９】
ここで、ランプリード８１，８２の非対称性による課題およびその対策について説明する。
【００８０】
図３はランプリード８１，８２の非対称性による課題を説明するための図、図４はランプリード８１，８２の非対称性に対する対策を説明するための図である。
【００８１】
図３に示すように、ＥＥＦＬバックライト６のＥＥＦＬ６０の外部電極６３Ａとインバータ基板５の昇圧トランス５３とは短尺のランプリード８１により接続され、ＥＥＦＬ６０の外部電極６３Ｂとインバータ基板５の昇圧トランス５４とは長尺のランプリード８２により接続される。
【００８２】
短尺のランプリード８１と金属フレーム７との間には寄生容量がほとんど存在しない。それより、短尺のランプリード８１から金属フレーム７に漏洩電流はほとんど流れない。この場合、ＥＥＦＬ６０の外部電極６３Ａに供給されるランプ電流Ｉ（Ｒ’）は昇圧トランス５３からの出力電流Ｉ（Ｒ）とほぼ等しい。
【００８３】
一方、長尺のランプリード８２は金属フレーム７の表面に沿って設けられる。そのため、ランプリード８２と金属フレーム７との間に寄生容量６２が存在する。それにより、長尺のランプリード８２から寄生容量６２を通して金属フレーム７にＥＥＦＬ６０の点灯に寄与しない漏洩電流が流れる。この場合、ＥＥＦＬ６０の外部電極６３Ｂに供給されるランプ電流Ｉ（Ｌ’）は昇圧トランス５４からの出力電流Ｉ（Ｌ）よりも小さくなる。
【００８４】
このように、ＥＥＦＬ６０の外部電極６３Ａ，６３Ｂに供給されるランプ電流Ｉ（Ｒ’），Ｉ（Ｌ’）の大きさが非対称となる。その結果、ＥＥＦＬ６０の輝度が低下する。そこで、以下の方法で、ランプ電流Ｉ（Ｒ’），Ｉ（Ｌ’）の非対称性を改善する。
【００８５】
第１の方法として、図４に示すように、導電体である金属フレーム７上に厚みを有する絶縁体８が配置され、絶縁体８上に長尺のランプリード８２が配置される。ランプリード８２は、テープ９により絶縁体８に固定される。あるいは、長尺のランプリード８２が金属フレーム７の表面から一定間隔離間された状態で金属フレーム７上に取り付けられてもよい。一方、短尺のランプリード８１は、金属フレーム７上に絶縁体を介さずに配置され、または絶縁体８よりも厚みの小さい絶縁体を介して配置される。
【００８６】
これにより、長尺のランプリード８２と金属フレーム７との間の寄生容量が低減される。その結果、長尺のランプリード８２から金属フレーム７への漏洩電流が低減され、ランプ電流Ｉ（Ｒ’），Ｉ（Ｌ’）の非対称性が改善される。
【００８７】
第２の方法として、昇圧トランス５４の出力電流Ｉ（Ｌ）が昇圧トランス５３の出力電流Ｉ（Ｒ）よりも大きくなるように図２の共振コンデンサ５５，５６の容量値が設定される。すなわち、共振コンデンサ５５，５６の容量値は、昇圧トランス５３の出力電流Ｉ（Ｒ）、外部電極６３Ａのランプ電流Ｉ（Ｒ’）、昇圧トランス５４の出力電流Ｉ（Ｌ）および外部電極６３Ｂのランプ電流Ｉ（Ｌ’）が次の関係を満たすように設定される。
【００８８】
Ｉ（Ｌ）＞Ｉ（Ｌ’）＝Ｉ（Ｒ）＝Ｉ（Ｒ’）
これにより、ランプ電流Ｉ（Ｒ’），Ｉ（Ｌ’）の非対称性が補正される。なお、インバータ基板５の昇圧トランス５３，５４の出力端子と接地端子との間に共振コンデンサ５５，５６と別のコンデンサを接続することによりランプ電流Ｉ（Ｒ’），Ｉ（Ｌ’）の非対称性を補正してもよい。
【００８９】
（１−４）第１の実施の形態の効果
本実施の形態に係る液晶表示装置１Ａでは、上記のように、図１３および図１４の液晶表示装置１００Ａにおけるインバータ主基板５０１およびインバータ副基板５０２が共通のインバータ基板５に集約され、インバータ基板５は１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。このように、部品点数が削減されるため、部品コストが低減される。
【００９０】
（２）第２の実施の形態
次に説明する第２の実施の形態に係る液晶表示装置では、ＥＥＦＬバックライト６のＥＥＦＬ６０から金属フレーム７への漏洩電流の影響が低減される。以下、ＥＥＦＬ６０から金属フレーム７への漏洩電流をランプ漏洩電流と呼ぶ。
【００９１】
（２−１）漏洩電流の影響
まず、図２、図５および図６を参照しながらランプ漏洩電流の影響について説明する。図５はランプ漏洩電流の影響を説明するための図である。
【００９２】
図５に示すように、図２の液晶表示装置１Ａでは、ＥＥＦＬ６０が金属フレーム７に対向するように配置され、金属フレーム７上に金属シャーシ２が配置される。また、金属シャーシ２上に電源回路基板３および映像信号処理基板４が配置される。電源回路基板３および映像信号処理基板４の接地端子は、金属シャーシ２を通して金属フレーム７に接続される。
【００９３】
図２の液晶表示装置１Ａでは、ＥＥＦＬバックライト６のＥＥＦＬ６０からランプ漏洩電流が寄生容量６１を介して金属フレーム７に与えられる。一部のランプ漏洩電流Ｉ２はインバータ基板５の昇圧トランス５３，５４の接地端子に流入する。一部のランプ漏洩電流Ｉ１は金属フレーム７および金属シャーシ２を通して電源回路基板３の絶縁トランス３４に流れる。
【００９４】
特に、ＥＥＦＬバックライト６では、複数のＥＥＦＬ６０の外部電極６３Ａ，６３Ｂが金属フレーム７に対向している。また、複数のＥＥＦＬ６０の外部電極６３Ａ，６３Ｂが金属フレーム７上に配置される金属からなる一対のランプ固定板により一体的に保持される。それにより、金属フレーム７と外部電極６３Ａ，６３Ｂとの間の寄生容量６１は大きい。また、ＥＥＦＬ６０の点灯電圧は例えば８００〜１０００Ｖ程度であり、ＣＣＦＬの点灯電圧は例えば５００〜８００Ｖである。このように、ＥＥＦＬ６０の点灯電圧はＣＣＦＬの点灯電圧に比べて高い。さらに、ＥＥＦＬバックライト６では、すべてのＥＥＦＬ６０が同位相の電圧で駆動される。この場合、すべてのＥＥＦＬ６０から同時にランプ漏洩電流が生じる。これらの結果、ＥＥＦＬバックライト６からのランプ漏洩電流は大きい。
【００９５】
金属シャーシ２はインピーダンスを有するため、金属フレーム７から金属シャーシ２にランプ漏洩電流が流入すると、金属シャーシ２の任意の異なる位置間で電位差が発生する。例えば、図２の電源回路基板３の接地端子が接続される金属シャーシ２の箇所と映像信号処理基板４の接地端子が接続される金属シャーシ２の箇所との間に電位差が発生する。一方、電源回路基板３の接地端子と映像信号処理基板４の接地端子とは接地ラインＬ０により接続されている。それにより、絶縁トランス３４に流れるランプ漏洩電流によりノイズが発生し、そのノイズが金属シャーシ２を通して映像信号処理基板４の接地端子に流入する。これにより、映像信号処理回路４１の接地電位ＧＮＤが変動する。その結果、映像信号処理回路４１により液晶表示パネル１ａの画面上に表示される映像にノイズが現れる可能性がある。
【００９６】
また、絶縁トランス３４に流れるランプ漏洩電流は電源回路基板３のノイズフィルタ３１にも影響を与える。図６はノイズフィルタ３１へのランプ漏洩電流の影響を説明するための図である。
【００９７】
図６において、電源回路基板３のノイズフィルタ３１は、ＡＣ（交流）ラインＬＡ，ＬＢ上のノイズを除去する。このノイズフィルタ３１は、ＡＣラインＬＡ，ＬＢ間に接続されるコンデンサＣ０、ＡＣラインＬＡと接地端子（金属シャーシ２）との間に接続されるコンデンサＣ１およびＡＣラインＬＢと接地端子（金属シャーシ２）との間に接続されるコンデンサＣ２を有する。
【００９８】
整流回路３２は、ノイズフィルタ３１から出力される交流を整流し、脈流を出力する。アクティブフィルタ３３は、整流回路３２から出力される脈流を数十ｋＨｚの周波数でスイッチングして平滑化することにより直流を出力する。絶縁トランス３４の二次側の出力端子から電源ラインＬ１に数十Ｖ〜数百Ｖの電源電圧Ｖ０が与えられる。
【００９９】
上記のように、ノイズフィルタ３１のＡＣラインＬＡ，ＬＢは、コンデンサＣ１，Ｃ２および金属シャーシ２を介して絶縁トランス３４の二次側の接地端子に接続される。したがって、絶縁トランス３４に流れるランプ漏洩電流により発生するノイズが金属シャーシ２を介してノイズフィルタ３１のＡＣラインＬＡ，ＬＢにＡＣラインノイズとして与えられる。
【０１００】
また、図２の液晶表示装置１Ａでは、ノイズフィルタ３１、アクティブフィルタ３３および絶縁トランス３４が電源回路基板３に設けられる。この場合、ノイズフィルタ３１は、絶縁トランス３４からの漏洩磁束の影響を受ける。それにより、絶縁トランス３４に発生するノイズが漏洩磁束によりＡＣラインノイズとしてノイズフィルタ３１に与えられる。
【０１０１】
さらに、図２の液晶表示装置１Ａでは、ノイズフィルタ３１、アクティブフィルタ３３および絶縁トランス３４が電源回路基板３に設けられるので、アクティブフィルタ３３のスイッチング動作による高周波ノイズがＡＣラインノイズとしてノイズフィルタ３１に与えられる。
【０１０２】
これらの結果、映像信号処理回路４１により液晶表示パネル１ａの画面上に表示される映像にノイズが現れる可能性がある。
【０１０３】
そこで、第２の実施の形態に係る液晶表示装置では、以下の構成によりランプ漏洩電流の影響が低減される。
【０１０４】
（２−２）液晶表示装置の構成
図７は第２の実施の形態に係る液晶表示装置の背面の回路基板の配置を示す模式図、図８は第２の実施の形態に係る液晶表示装置の回路構成を示すブロック図である。
【０１０５】
第２の実施の形態に係る液晶表示装置１Ｂが第１の実施の形態に係る液晶表示装置１Ａと異なるのは次の点である。
【０１０６】
図７に示すように、アクティブフィルタ３３および絶縁トランス３４がインバータ基板５上に設けられる。なお、図７においては、後述する図８に示される回路素子のうち電源回路基板３に含まれるノイズフィルタ３１、ならびにインバータ基板５に含まれるアクティブフィルタ３３、絶縁トランス３４および昇圧トランス５３，５４のみが示され、他の回路素子の図示が省略されている。
【０１０７】
図８に示すように、電源回路基板３は、ノイズフィルタ３１、整流回路３２およびＤＣ−ＤＣコンバータ３５を含む。インバータ基板５は、アクティブフィルタ３３、絶縁トランス３４、駆動ＩＣ５１、スイッチング回路５２、昇圧トランス５３，５４および電流調整用の共振コンデンサ５５，５６を含む。
【０１０８】
なお、映像信号処理基板４およびＥＥＦＬバックライト６の構成は図２に示した構成と同様である。
【０１０９】
電源回路基板３の整流回路３２の一対の出力端子は、コネクタＣＮ３３を介して電源ラインＬ４，Ｌ５にそれぞれ接続される。ＤＣ−ＤＣコンバータ３５の入力端子は、コネクタＣＮ３４を介して電源ラインＬ１に接続される。ＤＣ−ＤＣコンバータ３５の接地端子は、接地ラインＬ０，Ｌ６に接続される。接地ラインＬ６には接地電位ＧＮＤが与えられる。
【０１１０】
インバータ基板５のアクティブフィルタ３３の一対の入力端子は、コネクタＣＮ５４を介して電源ラインＬ４，Ｌ５にそれぞれ接続され、一対の出力端子は、絶縁トランス３４の一次側の一対の端子に接続される。絶縁トランス３４の二次側の出力端子は、スイッチング回路５２の電源端子に接続されるとともに、コネクタＣＮ５１を介して電源ラインＬ１に接続される。絶縁トランス３４の二次側の接地端子は、駆動ＩＣ５１の接地端子、スイッチング回路５２の接地端子、昇圧トランス５３，５４の二次側の接地端子および金属フレーム７に接続されるとともに、コネクタＣＮ５１を介して接地ラインＬ６に接続される。
【０１１１】
（２−３）第２の実施の形態の効果
本実施の形態に係る液晶表示装置１Ｂでは、絶縁トランス３４が金属シャーシ２の外部のインバータ基板５に設けられる。それにより、ＥＥＦＬバックライト６から金属フレーム７へのランプ漏洩電流Ｉ２は、インバータ基板５の絶縁トランス３４に流れ、電源回路基板３へはランプ漏洩電流はほとんど流れない。この場合、絶縁トランス３４は金属シャーシ２の外部にあるので、絶縁トランス３４に発生するノイズは映像信号処理回路４１にほとんど与えられない。
【０１１２】
また、絶縁トランス３４は金属シャーシ２には直接接続されていない。そのため、絶縁トランス３４に発生するノイズが金属シャーシ２を介してノイズフィルタ３１のＡＣラインＬＡ，ＬＢにＡＣラインノイズとして与えられることが防止される。
【０１１３】
また、絶縁トランス３４が電源回路基板３に設けられないので、ノイズフィルタ３１が絶縁トランス３４からの漏洩磁束の影響を受けることが防止される。それにより、絶縁トランス３４に発生するノイズが漏洩磁束によりＡＣラインノイズとしてノイズフィルタ３１に与えられることが防止される。
【０１１４】
さらに、アクティブフィルタ３３が電源回路基板３に設けられないので、アクティブフィルタ３３のスイッチング動作による高周波ノイズがＡＣラインノイズとしてノイズフィルタ３１に与えられることが防止される。
【０１１５】
また、ランプリード８１，８２から金属フレーム２への漏洩電流が映像信号処理基板４の映像信号処理回路４１に影響を与えることも防止される。
【０１１６】
これらの結果、映像信号処理回路４１により液晶表示パネル１ａの画面上に表示される映像にノイズが現れることが防止される。
【０１１７】
本実施の形態においても、図１３および図１４の液晶表示装置１００Ａにおけるインバータ主基板５０１およびインバータ副基板５０２が共通のインバータ基板５に集約され、インバータ基板５は１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。このように、部品点数が削減されるため、部品コストが低減される。
【０１１８】
（３）第３の実施の形態
次に説明する第３の実施の形態に係る液晶表示装置においても、第２の実施の形態に係る液晶表示装置と同様に、ランプ漏洩電流の影響が低減される。
【０１１９】
（３−１）液晶表示装置の構成
図９は第３の実施の形態に係る液晶表示装置の背面の回路基板の配置を示す模式図、図１０は第３の実施の形態に係る液晶表示装置の回路構成を示すブロック図である。
【０１２０】
第３の実施の形態に係る液晶表示装置１Ｃが第２の実施の形態に係る液晶表示装置１Ｂと異なるのは次の点である。
【０１２１】
図９に示すように、インバータ基板５の絶縁トランス３４の代わりに絶縁トランス３４ａが電源回路基板３に設けられ、昇圧トランス５３，５４の代わりに昇圧絶縁トランス５８がインバータ基板５に設けられる。
【０１２２】
なお、図９においては、後述する図１０に示される回路素子のうち電源回路基板３に含まれるノイズフィルタ３１および絶縁トランス３４ａ、ならびにインバータ基板５に含まれるアクティブフィルタ３３および絶縁昇圧トランス５８のみが示され、他の回路素子の図示が省略されている。
【０１２３】
図１０に示すように、電源回路基板３は、ノイズフィルタ３１、整流回路３２、絶縁トランス３４ａおよびＤＣ−ＤＣコンバータ３５を含む。インバータ基板５は、アクティブフィルタ３３、駆動ＩＣ５１、スイッチング回路５２、昇圧絶縁トランス５８および電流調整用の共振コンデンサ５５，５６を含む。
【０１２４】
なお、映像信号処理基板４およびＥＥＦＬバックライト６の構成は図２に示した構成と同様である。
【０１２５】
電源回路基板３の絶縁トランス３４ａの一次側の一対の端子は、コネクタＣＮ３４を介して電源ラインＬ７，Ｌ８にそれぞれ接続される。絶縁トランス３４ａの二次側の出力端子は、ＤＣ−ＤＣコンバータ３５の入力端子に接続される。絶縁トランス３４ａの二次側の接地端子は、ＤＣ−ＤＣコンバータ３５の接地端子および金属シャーシ２に接続されるとともに、コネクタＣＮ３２を介して接地ラインＬ０に接続され、かつコネクタＣＮ３４を介して接地ラインＬ６に接続される。
【０１２６】
インバータ基板５のアクティブフィルタ３３の一対の出力端子は、スイッチング回路５２の一対の入力端子にそれぞれ接続されるとともに、コネクタＣＮ５１を介して電源ラインＬ７，Ｌ８にそれぞれ接続される。駆動ＩＣ５１の接地端子は、コネクタＣＮ５１を介して接地ラインＬ６に接続される。
【０１２７】
昇圧絶縁トランス５８の一次側の一対の入力端子は、スイッチング回路５２の一対の出力端子に接続される。昇圧絶縁トランス５８の二次側の一対の出力端子は、コネクタＣＮ５２，ＣＮ５３を介して短尺および長尺のランプリード８１，８２にそれぞれ接続される。共振コンデンサ５５，５６は、昇圧絶縁トランス５８の一対の出力端子と接地端子との間にそれぞれ接続される。
【０１２８】
スイッチング回路５２は、駆動パルスＰｔに基づいてアクティブフィルタ３３から供給される電力をスイッチングし、一対の出力端子に互いに逆位相の電圧を出力する。昇圧絶縁トランス５８は、スイッチング回路５２の一対の出力端子から出力される逆位相の電圧を昇圧し、昇圧された電圧をそれぞれ第１および第２の駆動電圧として短尺および長尺のランプリード８１，８２に出力する。それにより、ＥＥＦＬバックライト６の複数のＥＥＦＬ６０が駆動される。
【０１２９】
（３−２）第３の実施の形態の効果
本実施の形態に係る液晶表示装置１Ｃでは、電源回路基板３上の絶縁トランス３４ａにより映像信号処理基板４に電力が供給され、インバータ基板５上の昇圧絶縁トランス５８によりＥＥＦＬバックライト６に電力が供給される。この場合、絶縁トランス３４ａは小容量の電源として働く。それにより、ＥＥＦＬバックライト６から金属フレーム７へのランプ漏洩電流Ｉ２はインバータ基板５上の昇圧絶縁トランス５８に流れ、電源回路基板３上の絶縁トランス３４ａにはランプ漏洩電流はほとんど流れない。この場合、昇圧絶縁トランス５８は、金属シャーシ２の外部のインバータ基板５上に設けられるので、昇圧絶縁トランス５８にノイズが発生しても、そのノイズは映像信号処理回路４１にほとんど与えられない。
【０１３０】
また、昇圧絶縁トランス５８は金属シャーシ２には直接接続されていない。そのため、昇圧絶縁トランス５８に発生するノイズが金属シャーシ２を介してノイズフィルタ３１のＡＣラインＬＡ，ＬＢにＡＣラインノイズとして与えられることが防止される。
【０１３１】
また、昇圧絶縁トランス５８が電源回路基板３に設けられないので、ノイズフィルタ３１が昇圧絶縁トランス５８からの漏洩磁束の影響を受けることが防止される。それにより、昇圧絶縁トランス５８に発生するノイズが漏洩磁束によりＡＣラインノイズとしてノイズフィルタ３１に与えられることが防止される。
【０１３２】
さらに、アクティブフィルタ３３が電源回路基板３に設けられないので、アクティブフィルタ３３のスイッチング動作による高周波ノイズがＡＣラインノイズとしてノイズフィルタ３１に与えられることが防止される。
【０１３３】
また、ランプリード８１，８２から金属フレーム２への漏洩電流が映像信号処理基板４の映像信号処理回路４１に影響を与えることも防止される。
【０１３４】
これらの結果、映像信号処理回路４１により液晶表示パネル１ａの画面上に表示される映像にノイズが現れることが防止される。
【０１３５】
また、上記の第２の実施の形態に係る液晶表示装置１Ｂでは、インバータ基板５上で絶縁トランス３４および昇圧トランス５３，５４により２段階の電力変換が行われる。これに対して、本実施の形態に係る液晶表示装置１Ｃでは、インバータ基板５上で昇圧絶縁トランス５８により１段階の電力変換が行われる。交流電圧からインバータ基板５の出力電圧への変換効率が高くなる。
【０１３６】
本実施の形態においても、図１３および図１４の液晶表示装置１００Ａにおけるインバータ主基板５０１およびインバータ副基板５０２が共通のインバータ基板５に集約され、インバータ基板５は１つのスイッチング回路５２を含む。また、図１４のインバータ副基板５０２に電力を供給するための電力供給ケーブル９００が不要となる。さらに、図１４の駆動ＩＣ５１０からインバータ副基板５０２のスイッチング回路５２２に駆動パルスＰｔを供給するためのケーブルおよびコネクタＣＮ５３０，ＣＮ５６０が不要となる。このように、部品点数が削減されるため、部品コストが低減される。
【０１３７】
（４）他の実施の形態
第１および第２の実施の形態に係る液晶表示装置１Ａ，１Ｂにおいて、インバータ基板５に２つの昇圧トランス５３，５４の代わりに一対の出力端子を有する１つの昇圧トランスを設けてもよい。
【０１３８】
第３の実施の形態に係る液晶表示装置１Ｃにおいて、インバータ基板５に１つの昇圧絶縁トランス５８の代わりに２つの昇圧絶縁トランスを設けてもよい。
【０１３９】
第２の実施の形態に係る液晶表示装置１Ｂにおいて、アクティブフィルタ３３および絶縁トランス３４を金属シャーシ２の外部でかつインバータ基板５の外部に設けてもよい。例えば、金属フレーム７上の金属シャーシ２の外部の位置に別個の回路基板を配置し、その回路基板上にアクティブフィルタ３３および絶縁トランス３４を設けてもよい。
【０１４０】
第３の実施の形態に係る液晶表示装置１Ｃにおいて、アクティブフィルタ３３を金属シャーシ２の外部でかつインバータ基板５の外部に設けてもよい。例えば、金属フレーム７上の金属シャーシ２の外部に位置に別個の回路基板を配置し、その回路基板上にアクティブフィルタ３３を設けてもよい。
【０１４１】
（５）請求項の各構成要素と実施の形態の各要素との対応
以下、請求項の各構成要素と実施の形態の各要素との対応の例について説明するが、本発明は下記の例に限定されない。
【０１４２】
上記実施の形態では、液晶パネルモジュール１が液晶パネルモジュールの例であり、ＥＥＦＬバックライト６がバックライトの例であり、ＥＥＦＬ６０が蛍光ランプの例であり、外部電極６３Ａ，６３Ｂが第１および第２の外部電極の例であり、金属フレーム７が導電性フレームの例であり、金属シャーシ２が導電性シャーシの例である。
【０１４３】
また、電源回路基板３が第１の回路基板の例であり、映像信号処理基板４が第２の回路基板の例であり、インバータ基板５が第３の回路基板の例であり、コネクタＣＮ５２，ＣＮ５３が第１および第２の出力端子の例である。
【０１４４】
さらに、ノイズフィルタ３１がノイズ除去回路またはノイズフィルタの例であり、整流回路３２が整流回路の例であり、アクティブフィルタ３３が平滑回路またはアクティブフィルタの例であり、絶縁トランス３４または絶縁トランス３４ａが第１のトランスの例であり、ＤＣ−ＤＣコンバータ３５が電圧変換器の例であり、映像信号処理回路４１がパネル駆動回路の例であり、スイッチング回路５２がスイッチング回路の例であり、昇圧トランス５３，５４または昇圧絶縁トランス５８が第２のトランスの例である。
【０１４５】
また、電源電圧Ｖ０が第１の内部電圧の例であり、電源電圧Ｖｃが第２の内部電圧の例であり、アクティブフィルタ３３から出力される脈流が平滑化された電圧の例である。
【０１４６】
請求項の各構成要素として、請求項に記載されている構成または機能を有する他の種々の要素を用いることもできる。
【産業上の利用可能性】
【０１４７】
本発明は、映像を表示するため等に利用することができる。
【手続補正２】
【補正対象書類名】特許請求の範囲
【補正対象項目名】全文
【補正方法】変更
【補正の内容】
【特許請求の範囲】
【請求項１】
液晶表示パネルおよびバックライトを含む液晶パネルモジュールと、
外部電源から電源ラインを介して外部電圧を受ける第１の回路基板と、
前記液晶表示パネルに接続される第２の回路基板と、
前記バックライトに接続される第１および第２の出力端子を有する第３の回路基板と、
前記外部電圧を整流する整流回路と、
前記整流回路により整流された電圧をスイッチング動作により平滑化する平滑回路と、
前記平滑回路により平滑化された電圧を第１の内部電圧に変換する第１のトランスと、
前記第１の内部電圧をその第１の内部電圧よりも低い第２の内部電圧に変換する電圧変換器と、
前記第１のトランスにより得られる第１の内部電圧または前記平滑回路により平滑化された電圧をスイッチングするスイッチング回路と、
前記スイッチング回路の出力電圧を第１および第２の駆動電圧に変換して前記第１および第２の出力端子から出力する第２のトランスと、
前記第２の回路基板に設けられ、前記第２の内部電圧により動作して前記液晶表示パネルに映像を表示させるパネル駆動回路とを備え、
前記第１および第２の出力端子は第１および第２の導線を介して前記バックライトにそれぞれ接続され、
前記整流回路および前記電圧変換器は前記第１の回路基板に設けられ、前記スイッチング回路および前記第２のトランスは前記第３の回路基板に設けられ、前記平滑回路および前記第１のトランスは前記第１の回路基板および前記第３の回路基板の一方に設けられる、液晶表示装置。
【請求項２】
前記液晶パネルモジュールは少なくとも背面側に導電性フレームを有し、
前記導電性フレームの背面側に導電性シャーシが配置され、
前記第１の回路基板および前記第２の回路基板は前記導電性シャーシ上に配置され、
前記第３の回路基板は前記導電性フレームの背面側で前記導電性シャーシと異なる位置に配置され、
前記導電性シャーシは前記導電性フレームに接続され、前記第１の回路基板の接地端子および前記第２の回路基板の接地端子は前記導電性シャーシに接続され、前記第３の回路基板の接地端子は前記導電性フレームに接続される、請求項１記載の液晶表示装置。
【請求項３】
前記電源ラインのノイズを除去するノイズ除去回路をさらに備え、前記ノイズ除去回路は前記第１の回路基板に設けられる、請求項１記載の液晶表示装置。
【請求項４】
前記ノイズ除去回路は、前記電源ラインと前記第１の回路基板の接地端子との間に接続される容量を有するノイズフィルタを含む、請求項３記載の液晶表示装置。
【請求項５】
前記平滑回路はアクティブフィルタを含む、請求項１記載の液晶表示装置。
【請求項６】
前記平滑回路および前記第１のトランスは前記第１の回路基板に設けられ、
前記スイッチング回路は、前記第１のトランスにより得られる第１の内部電圧をスイッチングする、請求項１記載の液晶表示装置。
【請求項７】
前記平滑回路および前記第１のトランスは前記第３の回路基板に設けられ、
前記スイッチング回路は、前記第１のトランスにより得られる第１の内部電圧をスイッチングする、請求項１記載の液晶表示装置。
【請求項８】
前記第１のトランスは前記第１の回路基板に設けられ、前記平滑回路は前記第３の回路基板に設けられ、
前記スイッチング回路は、前記平滑回路により平滑化された電圧をスイッチングする、請求項１記載の液晶表示装置。
【請求項９】
前記第１および前記第２の導線は前記導電性フレームの表面に沿って配置され、前記第２の導線の長さは前記第１の導線の長さよりも長く、前記第１の導線と前記導電性フレームとの間に形成される容量値が前記第２の導線と前記導電性フレームとの間に形成される容量値と等しくなるように前記第２の導線と前記導電性フレームとの間の距離が前記第１の導線と前記導電性フレームとの間の距離よりも大きく設定される、請求項１記載の液晶表示装置。
【請求項１０】
前記第１および前記第２の導線は前記導電性フレームの表面に沿って配置され、前記第２の導線の長さは前記第１の導線の長さよりも長く、前記第１の導線と前記導電性フレームとの間に形成される容量値が前記第２の導線と前記導電性フレームとの間に形成される容量値と等しくなるように前記第１の出力端子と前記導電性フレームとの間および前記第２の出力端子と前記導電性フレームとの間にそれぞれ第１および第２の容量成分が接続される、請求項１記載の液晶表示装置。
【請求項１１】
前記バックライトは、第１および第２の外部電極を有する複数の蛍光ランプを含み、前記複数の蛍光ランプの前記第１の外部電極は前記第１の導線を介して前記第１の出力端子に接続され、前記複数の蛍光ランプの前記第２の外部電極は前記第２の導線を介して前記第２の出力端子に接続される、請求項１記載の液晶表示装置。
【手続補正３】
【補正対象書類名】図面
【補正対象項目名】全図
【補正方法】変更
【補正の内容】
【図１】
2008090722.tif 000017
【図２】
2008090722.tif 000018
【図３】
2008090722.tif 000019
【図４】
2008090722.tif 000020
【図５】
2008090722.tif 000021
【図６】
2008090722.tif 000022
【図７】
2008090722.tif 000023
【図８】
2008090722.tif 000024
【図９】
2008090722.tif 000025
【図１０】
2008090722.tif 000026
【図１１】
2008090722.tif 000027
【図１２】
2008090722.tif 000028
【図１３】
2008090722.tif 000029
【図１４】
2008090722.tif 000030
【国際調査報告】
2008090722.tif 000031
2008090722.tif 000032
2008090722.tif 000033
2008090722.tif 000034